(57)【要約】  本発明は建築用の外装パネル及びその組立構造に関するものである。  本発明の一例による建築用の外装パネルは、前面鋼板及び前面鋼板の後面方向に離隔される背面鋼板、前面鋼板及び背面鋼板のそれぞれの上部先端の間に配置されて、厚さ方向に幅を有しする上部フレーム前面鋼板と背面鋼板のそれぞれの水平方向の両側先端の中のいずれかの第１側面の先端に配置される第１側面フレーム、前面鋼板と背面鋼板それぞれの水平方向の両側先端の中の残りの第２側面の先端に配置される第２側面フレーム及び前面鋼板及び背面鋼板のそれぞれの下部先端の間に配置される下部フレームを含む。  また、本発明の一例による建築用の外装パネルの組立構造は前述する複数の建築用の外装パネル及び一側に外壁が固定されて、他側に複数の建築用の外装パネルが結合されて複数の建築用の外装パネルを支持する下肢鉄物を含む。
2021510188.tif 000002
【特許請求の範囲】
【請求項１】
前面鋼板；及び
上記の前面鋼板の後面方向に離隔されて配置される背面鋼板；
上記の前面鋼板から上記の背面鋼板側への厚さ方向に幅を有し、上記の前面鋼板および背面鋼板のそれぞれの上部先端の間に配置されて結合される上部フレーム；
上記の厚さ方向への幅を有し、上記の前面鋼板と上記の背面鋼板のそれぞれの水平方向の両側先端の中のいずれかの第１側面の先端に配置されて結合される第１側面フレーム；
上記の厚さ方向への幅を有し、上記の前面鋼板と上記の背面鋼板のそれぞれの上記の水平方向の両側先端の中の残りの第２側面の先端に配置されて結合される第２側面フレーム；及び
上記の厚さ方向への幅を有して、上記の前面鋼板及び上記の背面鋼板のそれぞれの下部先端の間に配置されて下部フレーム；を含む建築用の外装パネル。
【請求項２】
上記の背面鋼板の上部先端と上記の上部フレームの間または上記の背面鋼板の下部先端と上記の下部フレームの間の中の少なくとも一つの部分には断熱性部材が位置する、請求項１に記載の建築用の外装パネル。
【請求項３】
上記の断熱性部材は
上記の上部フレームまたは上記の下部フレームの外側面に粘着される粘着部と
一面が上記の粘着部に粘着されて、他面に上記の背面鋼板が密着される断熱部を備える、請求項２に記載の建築用の外装パネル。
【請求項４】
上記の断熱部はＰＶＣ（Ｐｏｌｙ  Ｖｉｎｙｌ  Ｃｈｌｏｒｉｄｅ）発泡フォーム材質を含む、請求項３に記載の建築用の外装パネル。
【請求項５】
上記の上部フレームは上記の水平方向に形成された上部ガスケット溝に挿入締結される上部ガスケットを備えて、
上記の下部フレームは上記の水平方向に形成された下部ガスケット溝に挿入締結される下部ガスケットを備える、請求項１に記載の建築用の外装パネル。
【請求項６】
上記の建築用の外装パネルを上部フレームから垂直方向に見たとき、上記の上部ガスケットは上記の下部ガスケットとすれ違って位置する、請求項５に記載の建築用の外装パネル。
【請求項７】
上記の上部フレームで上記の上部ガスケットと上記の下部ガスケットの投影領域の間には、上記の上部フレームの外側面から下部方向の内側に陥没された上部排水路が備えられたり、上記の上部排水路が備えられずに平坦な、請求項５に記載の建築用の外装パネル。
【請求項８】
上記の上部フレームは上記の上部排水路が備えて、
上記の第１側面フレームは上記の上部排水路の第１側面先端と当接する部分には内側に陥没され、下部方向に延長される第１側面排水路を備えて、
上記の第２側面フレームは上記の上部排水路の第２側面先端と当接する部分には内側に陥没され、下部方向に延長される第２側面排水路を備える、請求項７に記載の建築用の外装パネル。
【請求項９】
上記の背面鋼板は、
上記の垂直方向及び水平方向に広く形成された背面ボディー、
上記の背面ボディーの上部先端から上記の前面鋼板が位置する前面方向にバンディング及び延長される背面上段部、
上記の背面上段部の先端から上記の上部方向にバンディング及び延長される背面突出部、
上記の背面突出部の先端から前面方向にバンディング及び延長され、上記の上部フレームの背面側の上部外側面の一部を覆う上記の背面上部フレームカバー；と
上記の背面ボディーの下部先端から上記の前面方向にバンディング及び延長されて上記の下部フレームの背面側の下部の外側面の一部を覆う上記の背面下部フレームカバー；を含めて、
上記の背面上部フレームカバーと上記の上部フレームの間及び上記の背面下部フレームカバーと上記の下部フレームの間には、上記の断熱性部材が位置する、請求項１に記載の建築用の外装パネル。
【請求項１０】
上記の前面鋼板は、
上記の垂直方向及び水平方向に広く形成された前面ボディー、
上記の前面ボディーの上部先端から上記の背面鋼板が位置する厚さ方向にバンディング及び延長される前面上段部、
上記の前面上段部の先端から上記の上部方向にバンディング及び延長される前面突出部、
上記の前面突出部の先端から上記の後面方向にバンディング及び延長されて、上記の上部フレームの前面側の上部外側面の一部を覆う前面上部フレームカバー、及び
上記の前面ボディーの下部先端から後面方向にバンディング及び延長されて、上記の下部フレームの前面側の下部外側面の一部を覆う前面下部フレームカバーを含めて、
上記の前面突出部の上部方向延長幅は上記の背面突出部の上部方向延長幅より大きい、請求項９に記載の建築用の外装パネル。
【請求項１１】
上記の第１側面フレームは
上記の前面鋼板の第１側面先端から水平方向に突出するよう延長される第１側面延長部分を備えて、上記の第１側面延長部分は上記の前面突出部よりさらに背面側に位置して、
上記の第２側面フレームは
上記の前面鋼板の第２側面先端から水平方向に陥没されるように延長される第２側面延長部分を備えて、上記の第２側面延長部分は上記の前面突出部よりさらに背面側に位置する、請求項１０に記載の建築用の外装パネル。
【請求項１２】
上記の第１側面フレームの第１側面延長部分または上記の第２側面フレームの第２側面延長部分の中のある一つはガスケット溝を備えて、上記のある一つのガスケット溝に挿入されて固定される側面ガスケットをさらに備える、請求項１１に記載の建築用の外装パネル。
【請求項１３】
上記の第１側面フレームの第１側面延長部分または上記の第２側面フレームの第２側面延長部分の中の残り一つは上記の垂直方向に長くグルーブが形成された複数の凹凸をさらに備えたり、上記の複数の凹凸が備えられずに平坦な、請求項１１に記載の建築用の外装パネル。
【請求項１４】
お互いに垂直方向に向かい合う上記の上部及び下部フレームペアまたは上記の水平方向に向かい合う上記の第１、２側面フレームペアの中のいずれかの一つのペアのフレームのそれぞれの内部面には少なくとも一つの突出部が備えられて、残りの一つのペアのそれぞれの内部面には少なくとも一つの陥没部が備えられて、
上記のいずれかの一つのペアのフレームのそれぞれの内部面に備えられた上記の少なくとも一つの内部突出部は上記の残りの一つのペアのフレームのそれぞれの内部面に備えられた上記の少なくとも一つの内部突出部に挿入される、請求項１に記載の建築用の外装パネル。
【請求項１５】
上記の第１、２フレームの上部先端は上記の上部フレームの両側先端の内部面に当接し結合されて、
上記の第１、２フレームの下部先端は上記の下部フレームの両側先端の内部面に当接し結合される、請求項１に記載の建築用の外装パネル。
【請求項１６】
請求項１の構造で形成される複数の建築用の外装パネル；及び
一側に外壁が固定されて、他側に上記の複数の建築用の外装パネルが結合されて上記の複数の建築用の外装パネルを支持する下肢鉄物；を含む、建築用の外装パネルの組立構造。
【発明の詳細な説明】
【技術分野】
【０００１】
本発明は建築用の外装パネル及びその組立構造に関するものである。
【背景技術】
【０００２】
建築物の外断熱材は発電所、工場、商店、住宅などの多方面の建築物に用いられる。代表的な建築物の外断熱材で用いられるサンドイッチパネル、メタルパネル、アルミニウムシートパネルなどは軽量資材であり、乾式工法で施工が可能であり建築物の大型化及び高層化傾向の変化にも現在広く用いられている。また、他の資材に比べて経済性、断熱性、工期の短縮のメリットを持っている。
【０００３】
一方、サンドイッチパネル、メタルパネル、アルミニウムシートパネルなどは、資材の特性の上、施工の際にパネルとパネルが繋がる連結部（Ｊｏｉｎｔ）が形成されるが、この部分は結露及び水漏れが頻繁に発生する脆弱点の技術的な補完が至急な実情である。
【発明の概要】
【発明が解決しようとする課題】
【０００４】
本発明は建築用の外装パネル及びその組立構造を提供するのにその目的がある。
【課題を解決するための手段】
【０００５】
本発明の一例による建築用の外装パネルは、前面鋼板；及び前面鋼板の後面方向に離隔されて配置される背面鋼板；前面鋼板から背面鋼板側での厚さ方向に幅を有して、前面鋼板及び背面鋼板それぞれの上部の先端の間に配置されて結合される上部フレーム；厚さ方向での幅を有して、前面鋼板と背面鋼板それぞれの水平方向の左右両端の中のある一つの第１側面の先端に配置されて結合される第１側面フレーム；厚さ方向での幅を有して、前面鋼板と背面鋼板それぞれの水平方向の左右両端の中の残りの第２側面の先端に配置されて結合される第２側面フレーム；及び厚さ方向での幅を有して、前面鋼板及び背面鋼板それぞれの下部の先端の間に配置され結合される下部フレーム；を含む。
【０００６】
ここで、背面鋼板の上部の先端と上部フレームの間、または背面鋼板の下部の先端と下部フレームの間の中、少なくともある一つの部分に断熱性の部材が位置する。
【０００７】
ここで、断熱性の部材は上部フレームまたは下部フレームの外側面に粘着される粘着部と一面が粘着部に粘着されて、他面に背面鋼板が密着される断熱部を備えることができる。
【０００８】
併せて、断熱部はＰＶＣ（Ｐｏｌｙ  Ｖｉｎｙｌ  Ｃｈｌｏｒｉｄｅ）発泡フォーム材質を含むことができる。
【０００９】
また、上部フレームは水平方向に形成された上部ガスケット溝に挿入締結される上部ガスケットを備えて、下部フレームは水平方向に形成された下部ガスケット溝に挿入締結される下部ガスケットを備えることができる。
【００１０】
ここで、建築用の外装パネルを上部フレームから垂直方向に見たとき、上部ガスケットは下部ガスケットとすれ違って位置することができる。
【００１１】
また、上部フレームで上部ガスケットと下部ガスケットの投影領域との間には、上部フレームの外側面から下部方向の内側に陥没した上部排水路が備えたり、上部排水路が備えられずに平坦することができる。
【００１２】
また、上部フレームは上部排水路を備えて、第１側面フレームで上部ガスケットの第１側面先端と接触する部分には内側に陥没されて下部方向に延長される第１側面排水路が備えられ、第２側面フレームで上部排水路の第２側面先端と接触する部分には内側に陥没されて下部方向に延長される第２側面排水路が備えられることができる。
【００１３】
背面鋼板は垂直方向及び水平方向に広く形成された背面ボディー、背面ボディーの上部の先端から前面鋼板が位置する前面方向にバンディングおよび延長される背面突出部、背面突出部の先端から前面方向にバンディング及び延長されて上部フレームの背面側の上部の外側面の一部を覆う背面上部フレームカバー；と背面ボディーの下部先端から前面方向にバンディング及び延長されて下部フレームの背面側の下部外側面の一部を覆う背面下部フレームカバー；を含め、背面上部フレームカバーと上部フレームの間及び背面下部フレームカバーと下部フレームの間には断熱性の部材が位置することができる。
【００１４】
前面鋼板は垂直方向及び水平方向に広く形成された前面ボディー、前面ボディーの上部先端から背面鋼板が位置する厚さ方向にバンディング及び延長される前面上段部、前面上段部の先端から上部方向にバンディング及び延長される前面突出部、前面突出部の先端から後面方向にバンディング及び延長され上部フレームの前面側の上部外側面の一部を覆う前面上部フレームカバー、及び前面ボディーの下部先端から後面方向にバンディング及び延長され下部フレームの前面側の下部外側面の一部を覆う前面下部フレームカバーを含めて、前面突出部の上部方向の延長幅は背面突出部の上部方向延長幅より大きくすることができる。
【００１５】
また、第１側面フレームは前面鋼板の第１側面前端から水平方向に突出されるように延長され、前面突出部よりさらに背面側に位置する第１側面延長部分を備え、第２側面フレームは前面鋼板の第２側面先端から水平方向に陥没されるように延長されて、前面突出部よりさらに背面側に位置する第２側面延長部分を備えることができる。
【００１６】
併せて、第１側面フレームの第１側面延長部分または第２側面フレームの第２側面延長部分の中のある一つは第１側面延長部分または第２側面延長部分に備えられたガスケット溝に挿入され固定された側面ガスケットをさらに備えることができる。
【００１７】
また、第２側面フレームの第１側面延長部分または第２側面フレームの第２側面延長部分の中の残りの一つは垂直方向に長くグルーブが形成された複数の凹凸をさらに備えたり、複数の凹凸が備えられずに平坦することができる。
【００１８】
加えて、お互いに垂直方向で向かい合う上部及び下部フレームペアまたは水平方向に向かい合う第１、２側面フレームペアの中のいずれかのペアのフレームのそれぞれの内部面に少なくとも一つの突出部が備えられ、残りのペアのフレームのそれぞれの内部面に少なくとも一つの陥没部か備えられて、いずれかのペアのフレームそれぞれの内部面に備えられた少なくとも一つの内部突出部は残りの一つのペアのフレームそれぞれの内部面に備えられた少なくとも一つの内部陥没部に挿入されることができる。
【００１９】
ここで、第１、２フレームの上部先端は上部フレームの両端の内部面に当接して結合され、第１、２フレームの下部先端は下部フレームの両端の内部面に当接して結合されることができる。また、本発明の一例による建築用の外装パネルの組み立て構造は前述した複数の建築用の外装パネル；及び一側に外壁が固定され、他側に複数の建築用の外装パネルが結合されて複数の建築用の外装パネルを支持する下肢鉄物；を含む。
【発明の効果】
【００２０】
本発明の一例による本発明は建築用の外装パネルおよびその組立構造は、前面鋼板及び背面鋼板の間を複数のフレームで結合する構造であり、組み立て方法が簡単で、製造コストを削減することができる。
【図面の簡単な説明】
【００２１】
【図１】本発明による建築用の外装パネルが組み立てられた構造の一例を説明するための図である。
【図２】図１で複数の建築用の外装パネルが組み立てられた構造の水平方向（ｘ−ｘ′）の形状および垂直方向を示す図である。
【図３】本発明による建築用の外装パネルの分解斜視図を図示したものである。
【図４】図３に図示された建築用の外装パネルの各部分が結合した一例を説明するための斜視図である。
【図５】本発明による建築用の外装パネルの第１実施例を説明するための図である。
【図６】本発明による建築用の外装パネルの第１実施例を説明するための図である。
【図７】本発明による建築用の外装パネルの第１実施例を説明するための図である。
【図８】本発明による建築用の外装パネルの第１実施例を説明するための図である。
【図９】本発明による建築用の外装パネルの第１実施例を説明するための図である。
【図１０】本発明による建築用の外装パネルの第１実施例を説明するための図である。
【図１１】本発明による建築用の外装パネルの第１実施例を説明するための図である。
【図１２】本発明による建築用の外装パネルの第１実施例を説明するための図である。
【図１３】本発明による建築用の外装パネルの第１実施例を説明するための図である。
【図１４】本発明による建築用の外装パネルの第１実施例を説明するための図である。
【図１５】本発明による建築用の外装パネルの第１実施例を説明するための図である。
【図１６】本発明による建築用の外装パネルの第１実施例を説明するための図である。
【図１７】本発明による建築用の外装パネルの第１実施例を説明するための図である。
【図１８】本発明による建築用の外装パネルの第１実施例を説明するための図である。
【図１９】本発明による建築用の外装パネルの第１実施例を説明するための図である。
【図２０】本発明による建築用の外装パネルの第１実施例を説明するための図である。
【図２１】本発明による建築用の外装パネルの第１実施例を説明するための図である。
【図２２】本発明による建築用の外装パネルの第１実施例を説明するための図である。
【図２３】本発明による建築用の外装パネルの第１実施例を説明するための図である。
【図２４】本発明による建築用の外装パネルの第１実施例を説明するための図である。
【図２５】本発明による建築用の外装パネルの第１実施例を説明するための図である。
【図２６】本発明による建築用の外装パネルの第１実施例を説明するための図である。
【図２７】本発明による建築用の外装パネルの第１実施例を説明するための図である。
【図２８】本発明による建築用の外装パネルの第１実施例を説明するための図である。
【図２９】本発明による建築用の外装パネルの第１実施例を説明するための図である。
【図３０】本発明による建築用の外装パネルの第１実施例を説明するための図である。
【図３１】本発明による建築用の外装パネルの第１実施例を説明するための図である。
【図３２】本発明による建築用の外装パネルの第１実施例を説明するための図である。
【図３３】本発明による建築用の外装パネルの第１実施例を説明するための図である。
【図３４】本発明による建築用の外装パネルの第１実施例に関する様々な変形例を説明するための図である。
【図３５】本発明による建築用の外装パネルの第１実施例に関する様々な変形例を説明するための図である。
【図３６】本発明による建築用の外装パネルの第１実施例に関する様々な変形例を説明するための図である。
【図３７】本発明による建築用の外装パネルの第１実施例に関する様々な変形例を説明するための図である。
【図３８】本発明による建築用の外装パネルの第２実施例を説明するための図である。
【図３９】本発明による建築用の外装パネルの第２実施例を説明するための図である。
【図４０】本発明による建築用の外装パネルの第２実施例を説明するための図である。
【図４１】本発明による建築用の外装パネルの第２実施例を説明するための図である。
【図４２】本発明による建築用の外装パネルの第２実施例を説明するための図である。
【図４３】本発明による建築用の外装パネルの第２実施例を説明するための図である。
【図４４】本発明による建築用の外装パネルで、第２側面フレーム４００に関する変形例を説明するための図である。
【図４５】本発明による建築用の外装パネルで、第２側面フレーム４００に関する変形例を説明するための図である。
【図４６】本発明による建築用の外装パネルで、上部フレーム及び下部フレームに関する変形例を説明するための図である。
【図４７】本発明による建築用の外装パネルで、上部フレーム及び下部フレームに関する変形例を説明するための図である。
【発明を実施するための最良の形態】
【００２２】
以下では、添付した図面を参考にして本発明の実施例に関して本発明が属する技術分野で通常の知識を有する者が容易に実施することができるように詳しく説明する。しかし、本発明は様々な相違な形態で具現することができ、ここで説明する実施例に限定されない。そして、図面で本発明を明確に説明するために説明と関係ない部分を省略し、明細書全体を通じて類似した部分については類似な図面符号を付した。
【００２３】
図面で複数の層及び領域を明確に表現するために、厚さを拡大して示した。
【００２４】
前面というのはパネルの前面、後面というのはパネルの後面、前面方向というのはパネルの前面側からの方向を意味し、後面方向というのはパネル後面側での方向を意味し、厚さ方向というのはパネルの厚さと平行方向を意味し、前面方向と後面方向をすべて含む。
【００２５】
上部方向ということは、パネルの中心を基準に上側への方向を意味し、下部方向ということは中心を基準に下側への方向を意味し、垂直方向というのは上部方向と下部方向をすべて含む。
【００２６】
第１側面というのは、パネルの水平方向（ｘ−ｘ′）の両側面のいずれかの側面を意味し、第２側面というのはパネルの水平方向（ｘ−ｘ′）の両側面の残りの一つ側面を意味する。
【００２７】
第１側面方向というのは、パネルの中心を基準に第１側面側への方向を意味し、第２側面方向というのは中心を基準に第２側面側への方向を意味し、水平方向（ｘ−ｘ′）というのはパネルが水平に結合される方向、すなわち第１、２側面方向をすべて含む。
【００２８】
併せて、ある部分の内側面または内部面はパネルの内側面、すなわちパネルの芯材が位置する側の面を意味し、ある部分の外側面または外部面はパネルの外側面を意味する。
【００２９】
また、ある部分の幅または長さを同一するという意味は、ある部分の幅または長さが１０％以内の誤差範囲内で同一することを意味する。
【００３０】
図１は本発明により組み立てられた建築用の外装パネルが組み立てられた構造の一例を説明するための図であり、図２の（ａ）は図１で複数の建築用の外装パネルが組み立てられた構造の水平方向（ｘ−ｘ′）の様子を図示したものであり、図２の（ｂ）は図１で複数の建築用の外装パネルが組み立てられた垂直方向の様子を図示したものである。
【００３１】
また、図３は本発明による建築用の外装パネルの分解斜視図を図示したものであり、図４は図３に図示された建築用の外装パネルの各部分が結合された一例を説明するための斜視図である。
【００３２】
図５は本発明の第１実施例による建築用の外装パネルの垂直面を説明するための図であり、図６は本発明の第１実施例による建築用の外装パネルの水平側面を説明するための図である。
【００３３】
図１及び図２に図示されるように、本発明の一例による複数の建築用の外装パネル１０ａ、１０ｂ、１０ｃ、１０ｄが組み立てられた構造は複数の建築用の外装パネル１０ａ、１０ｂ、１０ｃ、１０ｄと下肢鉄物３０を含むことができる。
【００３４】
ここで、複数の建築用の外装パネル１０ａ、１０ｂ、１０ｃ、１０ｄはそれぞれの建築用の外装パネル１０ａ、１０ｂ、１０ｃ、１０ｄが垂直方向（ｙ−ｙ′）で結合され形成されることできる。
【００３５】
例えば、複数の建築用の外装パネル１０ａ、１０ｂ、１０ｃ、１０ｄは図２の（ａ）に図示されるように、建築用の外装パネルのそれぞれの上部側面と下部側面がお互いに当接して結合されたり、図２の（ｂ）に図示されるように、水平方向（ｘ−ｘ′）での両側面の中のいずれかの第１側面と反対側の第２側面がお互いに当接して結合することができる。
【００３６】
例えば、複数の建築用の外装パネル１０ａ、１０ｂ、１０ｃ、１０ｄはそれぞれの建築用の外装パネル１０ａ、１０ｂ、１０ｃ、１０ｄが垂直方向（ｙ−ｙ′）及び水平方向（ｘ−ｘ′）で結合されて形成されることができる。
【００３７】
例えば、複数の建築用の外装パネル１０ａ、１０ｂ、１０ｃ、１０ｄは図２の（ａ）に図示されるように、建築用の外装パネルのそれぞれの上部側面と下部側面がお互いに当接し結合されたり、図２の（ｂ）に図示されるように、水平方向（ｘ−ｘ′）への両側面の中のいずれかの第１側面と反対側の第２側面がお互いに当接して結合することができる。
【００３８】
このような、複数の建築用の外装パネル１０ａ、１０ｂ、１０ｃ、１０ｄは下肢鉄物３０に固定されることができる。
【００３９】
ここで、下肢鉄物３０の一側が建物の外壁に垂直方向（ｙ−ｙ′）にあらかじめ長く固定され形成される状態で、下肢鉄物３０の他側に複数の外装パネルが別途の締結手段２０により結合することができる。
【００４０】
一例で、図２の（ａ）及び（ｂ）に図示されるように、ネジのような締結手段が２０が外装パネルのそれぞれを貫通して、下肢鉄物３０に固定されることにより、外装パネルが下肢鉄物３０に固定され支持されることができる。
【００４１】
ここで、複数の建築用の外装パネル１０ａ、１０ｂ、１０ｃ、１０ｄのそれぞれは図３に図示される前面鋼板５００、背面鋼板６００及び複数のフレーム１００、２００、３００、４００が組立及び結合されて図４に図示されるように一体で形成されることができる。
【００４２】
前面鋼板５００及び背面鋼板６００はお互いに厚さ方向（ｚ−ｚ′）に離隔され配置されることができる。すなわち、背面鋼板６００は前面鋼板５００の後面方向（ｚ′）に離隔されて配置されることができ、前面鋼板５００と背面鋼板６００の間の上下及び左右のそれぞれの先端に厚さ方向（ｚ−ｚ′）に幅を有し、複数のフレーム１００、２００、３００、４００が結合されることができる。
【００４３】
このような前面鋼板５００及び背面鋼板６００のそれぞれは鋼鉄材質を含む鋼板の各先端がバンディングされ形成されることができ、外装パネルの前面から見たとき、全体的な平面形状は四角形の形状を有することができる。
【００４４】
ここで、前面鋼板５００及び背面鋼板６００のそれぞれの厚さは０．２５ｍｍ〜２．０ｍｍの間で形成されることができ、一例で、０．３５ｍｍ程度で形成されることができる。
【００４５】
併せて、図３及び図４では前面鋼板５００の表面に凹凸が形成されずに平坦な場合を一例で図示したが、前面鋼板５００及び背面鋼板６００のそれぞれの表面には複数の凹凸またはしわが形成されることができる。
【００４６】
一例で、前面鋼板５００及び背面鋼板６００のそれぞれの表面には５００個程度の谷間を有するしわが垂直方向（ｙ−ｙ′）で長く形成されたり、水平方向（ｘ−ｘ′）に長く形成されることができる。
【００４７】
このように前面鋼板５００及び背面鋼板６００の具体的な構造については、図２４ないし図２７でより具体的に説明する。
【００４８】
併せて、前面鋼板５００及び背面鋼板６００の間に備える複数のフレーム１００、２００、３００、４００は図３に図示されるように、上部フレーム１００、下部フレーム２００、第１側面フレーム３００及び第２側面フレーム４００を含めて形成されることができる。
【００４９】
このような複数のフレーム１００、２００、３００、４００のそれぞれはアルミニウムが含まれた金属材質で形成されることができる。しかし、必ずしもこれに限定されるものではなく、複数のフレーム１００、２００、３００、４００のそれぞれは不燃性の素材に熱伝導性が低い金属材質または絶縁性の材質が含まれて、形成されることも可能である。
【００５０】
一例で、複数のフレーム１００、２００、３００、４００が熱硬化性プラスチック材質または炭素材質が含まれて形成されることもできる。
【００５１】
ここで、上部フレーム１００は図３及び図４に図示されるように、前面鋼板５００及び背面鋼板６００のそれぞれの上部の先端の間に配置されて結合され、厚さ方向（ｚ−ｚ′）に幅を有して、水平方向（ｘ−ｘ′）に長く延長されることができる。このような上部フレーム１００の具体的な構造については図８ないし図１０でより詳しく説明する。
【００５２】
下部フレーム２００は図３及び図４に図示されるように、前面鋼板５００及び背面鋼板６００のそれぞれの下部の先端の間に配置され結合されて、厚さ方向（ｚ−ｚ′）に幅を有し、水平方向（ｘ−ｘ′）に長く延長されることができる。このような上部フレーム１００の具体的な構造については図１１ないし図１３でより詳しく説明する。
【００５３】
第１側面フレーム３００は図３及び図４に図示されるように、前面鋼板５００及び背面鋼板６００のそれぞれの水平方向（ｘ−ｘ′）の両端のいずれかの第１側面の先端に配置され結合されて、厚さ方向（ｚ−ｚ′）に幅を有し、垂直方向（ｙ−ｙ′）に長く延長されることができる。
【００５４】
ここで、前面鋼板５００及び背面鋼板６００のそれぞれの第１側面は前面鋼板５００及び背面鋼板６００のそれぞれの左側面であることができるが、必ずしもこれに限定されるものではない。このような上部フレーム１００の具体的な構造については図１４ないし図１６でより詳しく説明する。
【００５５】
第２側面フレーム４００は図３及び図４に図示されるように、前面鋼板５００及び背面鋼板６００のそれぞれの水平方向（ｘ−ｘ′）の両先端の中の残りの第２側面の先端に配置され結合されて、厚さ方向（ｚ−ｚ′）に幅を有し、垂直方向（ｙ−ｙ′）に長く延長されることができる。
【００５６】
このような複数のフレーム１００、２００、３００、４００はそれぞれの先端がお互いに垂直方向に結合されて形成されることができる。
【００５７】
一例で、上部フレーム１００の第１側面の先端の内側面に第１側面フレーム３００の上部の先端が当接し結合して、上部フレーム１００の第２側面の先端の内側面に第２側面フレーム４００の上部の先端が当接し結合することができる。
【００５８】
加えて、下部フレーム２００の第１側面の先端の内側面に第１側面フレーム３００の下部の先端が当接し結合されて、下部フレーム２００の第２側面の先端の内側面に第２側面フレーム４００の下部の先端が当接し結合することができる。
【００５９】
これによって、図２の（ｂ）のように、複数のパネル１０ａ、１０ｃが垂直方向で積層され施工される際に、パネルの重さによりパネルの形状が変形されることを防止することができる。
【００６０】
すなわち、複数のパネル１０ａ、１０ｃが垂直方向（ｙ）に積層され施工される際に、パネルの重さにより上部フレーム１００及び下部フレーム２００が垂直方向に力を受けることがあるが、この際に、上部フレーム１００及び下部フレーム２００の両先端が第１、２側面フレーム３００、４００の両先端を垂直方向で支持しており、パネルの形状が崩れることを防止することができる。
【００６１】
ここで、前面鋼板５００及び背面鋼板６００のそれぞれの第２側面は前面鋼板５００及び背面鋼板６００のそれぞれの右側面であることができるが、必ずしもこれに限定されるものではない。このような上部フレーム１００の具体的な構造については図１７ないし図１９でより詳しく説明する。
【００６２】
このように、建築用の外装パネルのそれぞれの上部には図５に図示するように、前面鋼板５００と背面鋼板６００及び上部フレーム１００が結合されて、上部突出部１１が形成されることができ、建築用の外装パネルのそれぞれの下部には前面鋼板５００と背面鋼板６００及び下部フレーム２００が結合されて下部陥没部１３が形成できる。
【００６３】
これにより、複数の建築用の外装パネル１０ａ、１０ｂ、１０ｃ、１０ｄのそれぞれは図１及び図２の（ａ）に図示されるように、上部側面に形成された上部突出部１１が下部側面に形成された下部陥没部１３に当接し挿入及び結合することができる。
【００６４】
ここで、外装パネルの上部突出部１１で外装パネルの前面鋼板５００の上部の前面上段部から上部側面までの第１突出長さＨ１１ａは図５に図示されるように、背面鋼板６００の上部の背面上段部から上部側面までの第２突出長さＨ１１ｂより長く形成することができる。
【００６５】
また、外装パネルの下部陥没部１３で、前面鋼板５００の下部側面の先端から陥没面までの第１陥没長さＨ１３ａは背面鋼板６００の下部側面の先端から陥没面までの第２陥没長さＨ１３ｂより大きく、上部突出部１１の第１突出長さＨ１１ａより小さく形成することができる。
【００６６】
これにより、外装パネルの上部側面と下部側面が当接し結合される際に、外装パネルの上部突出部１１は下部陥没部１３の内側に挿入され結合することができ、外装パネルの前面には相対的に大きい第１突出長さＨ１１ａにより、複数の外装パネルが垂直方向（ｙ−ｙ′）に結合される際に、水平方向（ｘ−ｘ′）にまるで離隔されるよう見えるようにして、外装パネルの外観をさらに引き立つようにすることができる。
【００６７】
ここで、上部突出部１１の前面上段部は前面５００に形成されて、背面上段部は背面鋼板６００に形成することができ、第１、２側面フレーム３００、４００は上部突出部１１の第１、２側面を覆う構造で形成することができる。
【００６８】
併せて、図６に図示されるように、建築用の外装パネルのそれぞれの第１側面には前面鋼板５００と背面鋼板６００及び第１側面フレーム３００が結合され、背面鋼板６００の第１側面先端が前面鋼板５００の第１側面先端より水平方向（ｘ−ｘ′）にさらに突出された第１側面突出部１５が形成できる。
【００６９】
また、建築用の外装パネルのそれぞれの第２側面には前面鋼板５００と背面鋼板６００及び第２側面フレーム４００が結合され、前面鋼板５００の第１側面先端より背面鋼板６００の第２側面先端が第１側面方向（ｘ）にさらに陥没される第２側面陥没部１７が形成できる。
【００７０】
ここで、第１側面突出部１５の形状は第１側面フレーム３００自体の断面形状により形成することができ、第２側面陥没部１７の形状は第２側面フレーム４００自体の断面形状により形成することができる。
【００７１】
併せて、ここで、上部フレーム１００及び下部フレーム２００の平面形状は第１側面突出部１５の上下部側面と第２側面陥没部１７の上下部側面を覆う構造で形成することができる。
【００７２】
このような第１側面突出部１５で前面鋼板５００の第１側面先端から突出された第１側面の突出長さＷ１５は第２側面陥没部１７で陥没された第２側面陥没長さＷ１７と同一することができる。
【００７３】
また、上部突出部１１の上部側面には図５及び図６に図示するように、外装パネルの内側に陥没して、水平方向（ｘ−ｘ′）に延長されて、外装パネルの第１、２側面まで長く形成される上部排水路１１０が備えられる。
【００７４】
併せて、第１側面突出部１５の突出された第１側面には上部排水路１１０と繋がって、垂直方向（ｙ−ｙ′）に外装パネルの下部側面まで長く延長される第１側面排水路３４０が形成でき、第２側面陥没部１７の陥没された第２側面には上部排水路１１０と繋がり、外装パネルの下部側面まで長く垂直方向（ｙ−ｙ′）に延長される第２側面排水路４４０が形成できる。
【００７５】
このような上部排水路１００と第１、２側面排水路の連結構造は外装パネルの前面から後面方向（ｚ′）に流入される水を遮断し、外装パネルの下部方向に誘導して、外装パネルの水漏れを遮断したり防止することができる。
【００７６】
また、上部突出部１１で上部側面には図５及び図６に図示するように、上部ガスケット１３０が上部排水路１１０と離隔された位置に外装パネルの第１、２側面まで長く水平方向（ｘ−ｘ′）に延長されて備えられる。
【００７７】
このような、上部ガスケット１３０は上部排水路１１０でパネルの後面側に離隔され位置して、上部フレーム１００に備えられた上部ガスケット１３０の溝に挿入され備えることができる。
【００７８】
また、下部陥没部１３の下部側面には上部排水路１１０及び上部ガスケット１３０とすれ違う位置に下部ガスケット２７０が外装パネルの第１、２側面まで長く水平方向（ｘ−ｘ′）に延長され備えることができる。
【００７９】
このような下部ガスケット２７０は外装パネルが垂直に結合される際に、上部ガスケット１３０や上部排水路１１０に下部ガスケット２７０が重畳しないように、上部排水路１１０よりパネルの前面側に位置し、下部フレーム２００に備えられた下部ガスケット２７０の溝に挿入され備えることができる。
【００８０】
併せて、第１側面突出部１５から水平方向（ｘ−ｘ′）に突出される突出面の先端には第１側面ガスケット３６０が外装パネルの上部側面から下部側面まで長く垂直方向（ｙ−ｙ′）に延長され備えることができる。
【００８１】
しかし、第２側面陥没部１７には上部突出部１１、下部陥没部１３及び第１側面突出部１５とは異なって、ガスケットが備えられないこともできる。
【００８２】
これは、複数の外装パネルをお互いに結合する際に、それぞれの外装パネルを水平方向（ｘ−ｘ′）に押して各外装パネルの第１、２側面がお互いに当接するように結合させることができるが、外装パネルの第１側面突出部１５と第２側面陥没部１７のすべてにガスケットが備えられた場合、施工の際に妨げになることがあるからである。
【００８３】
したがって、図５及び図６では第１側面突出部１５にガスケットが備えられて、第２側面陥没部１７にはガスケットが備えられていない場合を一例で説明したが、これと異なり、第２側面陥没部１７にガスケットが備えられて、第１側面突出部１５にガスケットが備えられないこともできる。
【００８４】
加えて、上部突出部１１には上部排水路１１０の後面側に上部ガスケット１３０が備えられて、下部陥没部１３には上部排水路１１０の前面側に下部ガスケット２７０が備えられた場合を一例で説明したが、これと異なり上部突出部１１で上部排水路１１０の前面側に上部ガスケット１３０が備えられて、下部陥没部１３には上部排水路１１０の後面側に下部ガスケット２７０が備えられることもできる。
【００８５】
図８の以下では、説明の便宜上、図５及び図６に図示されたところにより、外装パネルの各部分に関してより具体的に説明する。
【００８６】
併せて、このように外形が構成される本発明の建築用の外装パネルは内部に断熱のための芯材が備えられる。
【００８７】
図７は本発明による建築用の外装パネルの内部に備えられる芯材４０を説明するための図である。
【００８８】
本発明による建築用の外装パネルは前述のとおり、前面鋼板５００、背面鋼板６００、上部フレーム１００、下部フレーム２００、第１側面フレーム３００及び第２側面フレーム４００が相互結合し、一体に形成することができる。
【００８９】
これにより、外装パネルの内部は空にすることができ、外装パネルの断熱機能をより向上させるために、外装パネルの内部に断熱のための芯材４０が内蔵されることができる。
【００９０】
このような芯材４０は（１）ガラス原石を溶融させ、人工的に繊維化して、ＳｉＯ２系の化学組成物で形成されるグラスウール（Ｇｌａｓｓ  Ｗｏｏｌ）、（２）玄武岩などの火成岩を約１，５００℃以上の高熱で溶かし人工繊維化して、ＳｉＯ２−Ａｌ２Ｏ３−ＣａＯ系化学組成物で形成されるミネラルウール（Ｍｉｎｅａｌ  Ｗｏｏｌ）またはウレタンフォームなどが用いられたり、（３）ビード法断熱材（ＥＰＳ、Ｅｘｐａｎｅｄ  Ｐｏｌｙｓｔｙｒｅｎ）等が用いることができる。
【００９１】
しかし、このような芯材４０はこれに限定されるものではなく、断熱機能があれば、材質に関係なく用いることができ、一つの外装パネルの内に一つの種類の芯材４０のみ使用されたり、いくつかの種類の芯材４０が複合的に用いることができる。
【００９２】
一例に、図７に図示されるように、外装パネルを前面鋼板５００側から見たとき、外装パネルの中心部側にはウレタンフォームやビード法断熱材４０ａが位置して、外装パネルの端側にはグラスウール４０ｂが位置することができる。
【００９３】
すなわち、外装パネルの内部で垂直方向（ｙ−ｙ′）の両側側面の中の上部の端及び下部の端の内部にはグラスウール４０ｂが位置し、上下部の端の間の中心部にはウレタンフォームやビード法断熱材４０ａが位置することができる。
【００９４】
併せて、外装パネルの内部で水平方向（ｘ−ｘ′）の両側側面の中、第１、２側面側の内部にはグラスウール４０ｂが位置し、第１、２側面の間の中心部にはウレタンフォームやビード法断熱材４０ａが位置することができる。
【００９５】
また、図示とは異なり、外装パネルを厚さ方向（ｚ−ｚ′）に見たとき、前面鋼板５００と背面鋼板６００側の前面の端及び後面の端にはグラスウール４０ｂが位置し、前後面の端の間の中心部にはウレタンフォームやビード法断熱材４０ａが位置することができる。
【００９６】
これにより、外装パネルの製造コストをより削減しながら、外装パネルの断熱機能を最適に維持することができる。
【００９７】
以下では、このような建築用の外装パネルの各構成部分に関してより詳しく説明する。
【００９８】
図８ないし図１０は本発明の第１実施例による建築用の外装パネルの上部フレーム１００を説明するための図である。
【００９９】
図８は建築用の外装パネルの上部フレーム１００を説明するための、第１側面フレーム３００を分解した側面図であり、図９は上部フレーム１００の断面図及び平面図であり、図１０は上部フレーム１００に第１側面フレーム３００が結合された外装パネルの斜視図である。
【０１００】
図８及び図９に図示されるように、本発明の第１実施例による建築用の外装パネルの上部フレーム１００は上部ボディー１０１、上部排水路１１０、上部ガスケット溝１２０、上部ガスケット１３０、第１上部支持部１４０及び第２上部支持部１５０を含め、圧出成形（Ｅｘｔｒｕｓｉｏｎ  ｍｏｌｄｉｎｇ）のような方式などを通じて一体に形成することができる。
【０１０１】
このような上部フレーム１００は外装パネルに備えられた上部突出部１１の突出された先端の上部面を形成することができる。すなわち、上部フレーム１００自体の形状が上部突出部１１の形状を有するものではなく、前面鋼板５００と背面鋼板６００のそれぞれが上段部と突出部を備えて、上部フレーム１００は上部突出部１１の先端に位置し突出された上部面を形成することができる。
【０１０２】
したがって、上部フレーム１００の全体が下部フレーム２００の下部陥没部１３内にすべて挿入される構造なので、上部フレーム１００の厚さ方向の幅Ｗ１００は下部フレーム２００の下部陥没部１３の幅ＷＲ２００より狭いことができる。
【０１０３】
また、本発明は背面鋼板６００の上部の先端と上部フレーム１００の間または背面鋼板６００の下部の先端と下部フレーム２００の間の中、少なくともいずれかの部分に断熱性部材７００が位置することができる。
【０１０４】
したがって、断熱性部材７００は（１）背面鋼板６００の上部の先端と上部フレーム１００の間に位置したり、（２）背面鋼板６００の下部の先端と下部フレーム２００の間に位置したり、または（３）背面鋼板６００の上部の先端と上部フレーム１００の間及び背面鋼板６００の下部の先端と下部フレーム２００の間に位置することができる。
【０１０５】
以下では、断熱性部材７００が（背面鋼板６００の上部の先端と上部フレーム１００の間及び背面鋼板６００の下部の先端と下部フレーム２００にすべて備えられる場合を一例で説明するが、必ずしもこれに限定されるものではなく、前述の（１）、（２）番の場合のように断熱性部材７００がそなえられることもできる。
【０１０６】
このように、背面鋼板６００の上部の先端と上部フレーム１００の間に断熱性部材７００が位置するため、上部フレーム１００で上部ボディー１０１の背面方向の先端部分と第２上部支持部１５０の外側面には断熱性部材が粘着または接着され位置することができる。このような断熱性部材７００については上部フレーム１００の各構成部分について説明した後、より詳しく説明する。
【０１０７】
併せて、これに加えて、上部フレーム１００の内部面には少なくとも一つの内部突出部１６０がさらに一体で備えることができる。このような上部フレーム１００に備えられた少なくとも一つの内部突出部１６０については図２０ないし図２４で具体的に説明する。
【０１０８】
このような上部フレーム１００は図８ないし図１０に図示されたように、前面鋼板５００及び背面鋼板６００のそれぞれの上部の先端で厚さ方向（ｚ−ｚ′）に幅を有し、水平方向（ｘ−ｘ′）に長く延長される面を有することができる。
【０１０９】
上部ボディー面１０１は厚さ方向（ｚ−ｚ′）に幅を有し、水平方向（ｘ−ｘ′）に長く延長される面であることができる。
【０１１０】
上部排水路１１０は上部ボディー面１０１の外部面で垂直方向（ｙ−ｙ′）の内側に陥没され形成されて、水平方向（ｘ−ｘ′）に長く延長されることができる。
【０１１１】
上部ガスケット溝１２０は上部フレーム１００の外部面から下部方向（ｙ′）に陥没されて、水平方向（ｘ−ｘ′）に長く延長され備えることができ、上部排水路１１０と厚さ方向（ｚ−ｚ′）に離隔されることができる。
【０１１２】
一例で、上部ガスケット溝１２０は上部排水路１１０より背面鋼板６００にさらに隣接して位置することができる。
【０１１３】
ここで、上部ガスケット溝１２０の入り口の幅は上部ガスケット溝１２０の内部面より狭いことがある。
【０１１４】
このような上部ガスケット溝１２０には上部ガスケット１３０が挿入締結されて、上部ガスケット１３０が上部フレーム１００の上部方向（ｙ）に突出され水平方向（ｘ−ｘ′）に長く延長することができる。
【０１１５】
したがって、上部フレーム１００の上部ガスケット１３０と後述する下部ガスケット２７０の投影領域の間に上部排水路１１０が備えられる。
【０１１６】
これにより、上部ガスケット１３０が外装パネルの前面鋼板５００の外部から背面鋼板６００の後ろ側に流入される外部の空気を遮断することができ、外装パネルの熱交遮断機能をより向上させることができ、外部から外装パネルの間の空間に流入される水が外装パネルの後ろ側に流れることを根本的に遮断することができる。
【０１１７】
ここで、上部ガスケット１３０は上部胴部１３３、上部頭部１３１および上部連結部１３３を含めて一体で形成されることができて、上部胴部１３３は四角形断面を有し上部ガスケット溝１２０の内に挿入されることができ、上部頭部１３１は円形断面を有し、上部フレーム１００の上部方向（ｙ）に突出することができ、上部連結部１３３は上部胴部１３３と上部頭部１３１をお互いに繋げることができる。
【０１１８】
ここで、上部連結部１３３の幅は上部胴部１３３及び上部頭部１３１の幅よりも狭いことがある。これにより、上部ガスケット１３０が上部ガスケット溝１２０に挿入され固定されることができ、複数の建築用の外装パネル１０ａ、１０ｂ、１０ｃ、１０ｄを結合して建築物の外壁を施工する際に、上部ガスケット１３０を別途に施工する必要がなく、施工をより容易にすることができる。
【０１１９】
第１上部支持部１４０は上部フレーム１００の前面の先端で下部方向（ｙ′）にバンディング及び延長されることができ、上部フレーム１００の第１側面１００Ｓ１から第２側面１００Ｓ２まで水平方向（ｘ−ｘ′）に長く延長されることができる。
【０１２０】
このような第１上部支持部１４０を前面鋼板５００の上部の先端が覆うように配置されて、第１上部支持部１４０が前面鋼板５００の上部の先端の内部面を支持することができる。
【０１２１】
第２上部支持部１５０は上部フレーム１００の後面の先端から下部方向（ｙ′）でバンディング及び延長することができ、上部フレーム１００の第１側面１００Ｓ１から第１側面１００Ｓ２まで水平方向（ｘ−ｘ′）に長く延長することができる。
【０１２２】
このような第２上部支持部１５０を背面鋼板６００の上部の先端が覆うように配置されて、第２上部支持部１５０が背面鋼板６００の上部の先端の内部面を支持することができる。
【０１２３】
このような上部フレーム１００の平面形状は図９の（ｂ）に図示するように、第１側面突出部１５及び第２側面陥没部１７の上部の側面を形成するために、上部フレーム１００の前面側の一部が水平方向（ｘ−ｘ′）に突出されたり陥没されて形成されることができ、上部排水路１１０が備えられる第１、２側面１００Ｓ１、１００Ｓ２の両先端が水平方向（ｘ−ｘ′）に陥没されて形成することができる。
【０１２４】
一方、前述した上部フレーム１００で、上部ボディー１０１の背面方向の先端と第２上部支持部１５０の外側面には断熱性部材７００が粘着されたり接着されたり水平方向（ｘ−ｘ′）に長く延長することができる。このように、断熱性部材７００が位置した状態で、図８に図示するように、背面鋼板６００が上部フレーム１００の背面方向の先端を覆うように結合することができる。
【０１２５】
ここで、上部フレーム１００の背面方向の先端を覆う背面鋼板６００の上部の先端は背面突出部６３０の上部の先端と背面上部フレームカバー６４０であることもできる。このように、背面鋼板６００の具体的な構造については後述する。
【０１２６】
これにより、背面鋼板６００の上部の先端と上部フレーム１００の間には断熱性部材７００が位置することができる。
【０１２７】
このような断熱性部材７００が背面鋼板６００の上部の先端と上部フレーム１００の間に位置することにより、外装パネルの背面側の上部の先端に発生する結露を予防することができる。
【０１２８】
すなわち、本発明による建築用の外装パネルは建物の外壁に設置することができるが、外装パネルから背面鋼板６００側は建物の内部の温かい熱気と建物の外部から入ってくる冷たい冷気がお互いに出会うことができ、これにより、パネルの前面鋼板５００側よりは背面鋼板６００側に結露の発生可能性がより高い。
【０１２９】
より具体的に、背面鋼板６００で、垂直方向及び水平方向（ｘ−ｘ′）に広く形成された背面ボディー６１０は相対的に熱伝導率が低い内部芯材と接触しており、結露が発生する可能性が低い。
【０１３０】
しかし、背面鋼板６００の中で熱伝導率が相対的に大きい上部及び下部フレーム１００、２００と当接する部分にはフレームを通じて伝達された冷気により結露が容易に発生することができる。
【０１３１】
しかし、本発明のように、背面鋼板６００の上部の先端と上部フレーム１００の間には断熱性部材７００が位置する場合、背面鋼板６００の上部の先端に発生することができる結露を予防することができる。
【０１３２】
このような断熱性部材７００は粘着部７０１と断熱部７０３を備えることができる。粘着部７０１は上部フレーム１００の外側面に粘着されて、断熱部７０３は一面が粘着部７０１に粘着されて、他面に背面鋼板６００の上部の内側面が密着されることができる。ここで、断熱部７０３はＰＶＣ（Ｐｏｌｙ  Ｖｉｎｙｌ  Ｃｈｌｏｒｉｄｅ）発泡フォーム材質を含めて形成することができる。
【０１３３】
より具体的に、粘着部７０１は上部フレーム１００の上部ボディー面１０１の背面の先端と第２上部支持部１５０の外側面に水平方向（ｘ−ｘ′）に長く粘着されて、断熱部７０３には背面鋼板６００の背面突出部６３０の上部の先端と背面の上部フレームカバー６４０の内側面が密着されて結合することができる。
【０１３４】
図１１ないし図１３は本発明の第１実施例による建築用の外装パネルの下部フレーム２００を説明するための図である。
【０１３５】
図１１は建築用の外装パネルの下部フレーム２００を説明するための分解図であり、図１２は下部フレーム２００の断面図及び平面図であり、図１３は下部フレーム２００に前面鋼板５００と背面鋼板６００及び第１側面フレーム３００が結合された外装パネルの斜視図である。
【０１３６】
下部フレーム２００は第１ないし第５下部フレーム部分２１０、２２０、２３０、２４０、２５０、下部ガスケット溝２６０、下部ガスケット２７０及び第１下部支持部２８１を含めて、圧出成形と同じような方式などを通じて一体に形成することができる。
【０１３７】
ここで、第１、２、４下部フレーム部分２１０、２２０、２４０は外装パネルの下部陥没部１３を形成することができる。すなわち、第１下部フレーム部分２１０は下部陥没部１３の床面を形成することができ、第２、４下部フレーム部分２２０、２４０は下部陥没部１３の垂直側面を形成することができる。
【０１３８】
併せて、これに加えて、下部フレーム２００の内部面には少なくとも一つの内部突出部１６０がさらに一体に備えることができる。このような下部フレーム２００に備えられた少なくとも一つの内部突出部２９０については図２０ないし図２４で詳しく説明する。
【０１３９】
第１下部フレーム部分２１０は前面鋼板５００及び背面鋼板６００のそれぞれの下部先端で上部方向（ｙ）に陥没され位置して、下部陥没部１３の床面を形成して、厚さ方向（ｚ−ｚ′）で幅を有し、水平方向（ｘ−ｘ′）に長く延長される面を有することができる。
【０１４０】
第２下部フレーム部分２２０は第１下部フレーム部分２１０の前面方向（ｚ）の先端から下部方向（ｙ′）にバンディング及び延長され、下部陥没部１３の前面側の垂直側面を形成して、水平方向（ｘ−ｘ′）に長く延長することができる。
【０１４１】
第３下部フレーム部分２３０は第２下部フレーム部分２２０の先端から前面方向（ｚ）にバンディングされ、前面鋼板５００まで延長することができ、水平方向（ｘ−ｘ′）に長く延長することができる。
【０１４２】
このような第２下部フレーム部分２２０の一部は第３下部フレーム部分２３０の全体は前面鋼板５００と結合される際に、前面鋼板５００の下部の先端の内部面が覆うことができる。
【０１４３】
第４下部フレーム部分２４０は第１下部フレーム２１０の後面方向（ｚ′）の先端から下部方向（ｙ′）にバンディング及び延長されて、下部陥没部１３の背面側の垂直側面を形成して、水平方向（ｘ−ｘ′）に長く延長することができる。
【０１４４】
第５下部フレーム部分２５０は第４下部フレーム部分２４０の先端から後面方向（ｚ′）にバンディングされて背面鋼板６００まで延長されて、水平方向（ｘ−ｘ′）に長く延長することができる。
【０１４５】
このような第４下部フレーム部分２４０の一部と第５下部フレーム部分２５０の全体は背面鋼板６００と結合する際の、背面鋼板６００の下部先端の内部面が覆うことができる。
【０１４６】
下部ガスケット溝２６０は第１下部フレーム部分２１０の外部面に上部方向（ｙ）の内側に陥没され備えられて、水平方向（ｘ−ｘ′）に長く延長することができる。
【０１４７】
併せて、下部ガスケット２７０が下部ガスケット溝２６０に挿入締結され、下部フレーム２００の下部方向（ｙ′）に突出することができる。このような下部ガスケット２７０もやはり下部フレーム２００の第１側面２００Ｓ１から第２側面２００Ｓ２まで水平方向（ｘ−ｘ′）に長く延長することができる。
【０１４８】
ここで、図１３に図示するように、下部ガスケット溝２６０が上部排水路１１０の位置及び上部ガスケット溝１２０の位置とすれ違うように位置することができる。
【０１４９】
一例に、下部ガスケット溝２６０は上部排水路１１０より前面鋼板５００により隣接して位置することができ、下部ガスケット２７０もやはり上部排水路１１０より前面鋼板５００にさらに隣接して位置することができる。
【０１５０】
したがって、下部ガスケット２７０と上部ガスケット１３０の投影領域に間に上部フレーム１００に備えられた上部排水路１１０が位置することができる。
【０１５１】
しかし、下部ガスケット溝２６０の位置は必ずしもこれに限定されるものではなく、もし上部ガスケット１３０が上部排水路１１０より前面鋼板５００にさらに隣接して位置する場合、下部ガスケット溝２６０の位置は図示するのは異なり、上部排水路１１０より背面鋼板６００にさらに隣接して位置することもできる。
【０１５２】
このような下部ガスケット溝２６０の入り口は下部ガスケット溝２６０の内部面より幅が狭く形成することができる。これにより、下部ガスケット２７０が下部ガスケット溝２６０から離脱しなく、下部ガスケット溝２６０に固定するようにできる。
【０１５３】
このような下部ガスケット２７０は下部胴部２７３、下部頭部２７１及び下部連結部２７５を含めて一体で形成することができる。
【０１５４】
下部胴部２７３は四角形の断面を有し、下部ガスケット溝２６０に挿入され固定されて、下部頭部２７１は円形の断面を有し下部フレーム２００の第１下部フレーム部分２１０から下部方向（ｙ′）に突出され形成されて、下部連結部２７５は下部胴部２７３と下部頭部２７１をお互いに繋げることができる。
【０１５５】
ここで、下部連結部２７５の幅は下部胴部２７３及び下部頭部２７１の幅より狭くなることができ、これにより下部ガスケット２７０が下部ガスケット溝２６０に固定されるようにすることができる。
【０１５６】
第１下部支持部２８１は第３下部フレーム２３０の前面先端から上部方向（ｙ）にバンディング及び延長されて、下部フレーム２００の第１側面２００Ｓ２から第２側面２００Ｓ２まで水平方向（ｘ−ｘ′）に長く延長することができる。
【０１５７】
このような第１下部支持部２８１を前面鋼板５００の下部先端が覆うように配置されて、第１下部支持部２８１が前面鋼板５００の下部の先端の内部面を支持することができる。
【０１５８】
このような下部フレーム２００の平面形状は図１２の（ａ）に図示するように、第１側面突出部１５及び第２側面陥没部１７の下部側面を形成するために、上部フレーム１００の前面側の一部が水平方向（ｘ−ｘ′）に突出されたり陥没されて形成することができ、上部排水路１１０と垂直方向（ｙ−ｙ′）に重畳される第１、２側面２００Ｓ１、２００Ｓ２の両先端が水平方向（ｘ−ｘ′）に陥没されて形成することができる。
【０１５９】
併せて、下部フレーム２００の下部陥没部１３の幅は上部突出部１１が下部陥没部１３の内に挿入されるようにするため、上部フレーム１００の厚さ方向の幅より大きいことがある。
【０１６０】
加えて、背面鋼板６００と下部フレーム２００の間に発生することができる結露を予防するために、背面鋼板６００の下部の先端と下部フレーム２００の間には断熱性部材７００が水平方向（ｘ−ｘ′）に長く位置することができる。
【０１６１】
このように、背面鋼板６００の下部の先端と下部フレーム２００の間に位置する断熱性部材７００は粘着部７０１と断熱部７０３を備えることができ、材質は上部フレーム１００の背面の先端に位置する断熱性部材７００の材質と同一することができる。
【０１６２】
このように、下部フレーム２００の外側面に位置する断熱性部材７００の粘着部７０１は下部フレーム２００の背面側に位置する第４、５下部フレーム部分２４０、２５０の外側面に粘着することができ、断熱部７０３は第４、５下部フレーム部分２４０、２５０の外側面に粘着された粘着部７０１の上に位置して、背面鋼板６００が密着され結合することができる。
【０１６３】
併せて、本願発明では第１側面フレーム３００の第１側面延長部分３３０または第２側面フレーム４００の第２側面延長部分４３０の中のいずれかは第１側面延長部分３３０または第２側面延長部分４３０の外側面に粘着されて垂直方向に長く延長される緩衝部材をさらに含めたり、第１側面延長部分３３０または第２側面延長部分４３０に備えられたガスケット溝に挿入され固定された側面ガスケットをさらに備えることができる。
【０１６４】
以下では第１側面フレーム３００の第１側面延長部分３３０または第２側面フレーム４００の第２側面延長部分４３０の中の第１側面フレーム３００の第１側面延長部分３３０に備えられたガスケット溝に挿入され固定されたガスケットが備えられた場合を一例に説明する。しかし、本発明が必ずしもこれに限定されるものではなく、第１側面延長部分３３０に緩衝部材が含まれることもでき、第２側面フレーム４００の第２側面延長部分４３０に側面ガスケットや緩衝部材が備えられることも可能である。
【０１６５】
第１側面延長部分３３０に側面ガスケットが備えられる第１側面フレーム３００についてより詳しく説明すれば、次のようである。
【０１６６】
図１４ないし図１６は本発明の第１実施例による建築用の外装パネルの第１側面フレーム３００を説明するための図である。
【０１６７】
図１４は建築用の外装パネルの第１側面フレーム３００を説明するための分解図であり、図１５は第１側面フレーム３００の断面図及び平面図であり、図１６は第１側面フレーム３００に前面鋼板５００と背面鋼板６００及び他のフレームが結合された外装パネルの斜視図である。
【０１６８】
第１側面フレーム３００は第１側面フレーム３００の第１部分３１０、第２部分３２０、第１側面延長部分３３０、第１側面排水路３４０、第１側面ガスケット溝３５０、第１側面ガスケット３６０、第１側面第１支持部３７０及び第１側面第２支持部３８０を含めて、圧出成形と同じ方式などを通じて一体に形成することができる。
【０１６９】
併せて、これに加えて、第１側面フレーム３００の内部面には少なくとも一つの内部陥没部３９０が一体にさらに備えることができる。このような第１側面フレーム３００に備えられた少なくとも一つの内部陥没部３９０については図２０ないし図２４で詳しく説明する。
【０１７０】
第１側面フレーム３００の第１部分３１０は前面鋼板５００の第１側面先端と当接し、外装パネルの厚さ方向（ｚ−ｚ′）に幅を有し、上部側面から下部側面まで垂直方向（ｙ−ｙ′）に延長することができる。
【０１７１】
第１側面フレーム３００の第２部分３２０は背面鋼板６００の第１側面１００Ｓ１の先端と当接し、外装パネルの厚さ方向（ｚ−ｚ′）に幅を有して、第１側面フレーム３００の第１部分３１０より水平方向（ｘ−ｘ′）に突出された部分に位置し、外装パネルの上部側面から下部側面まで垂直方向（ｙ−ｙ′）に延長することができる。
【０１７２】
このような第１側面フレーム３００の第２部分３２０の外部面には上部排水路１１０の先端と噛み合う部分に垂直方向（ｙ−ｙ′）に長く延長される第１側面排水路３４０が備えることができる。
【０１７３】
第１側面延長部分３３０は第１側面フレーム３００の第１部分３１０の先端から水平方向（ｘ−ｘ′）にバンディングされ、第１側面フレーム３００の第２部分３２０の先端まで延長され連結することができる。
【０１７４】
併せて、第１側面フレーム３００は第１側面フレーム３００の第１、２部分と第１側面延長部分３３０により前面鋼板５００の第１側面の先端から水平方向（ｘ−ｘ′）に突出される第１側面突出部１５の端部を形成することができる。
【０１７５】
加えて、第１側面延長部分３３０は後述する前面鋼板５００の前面突出部５３０よりさらに背面側に位置することができる。
【０１７６】
このような第１側面フレーム３００の第１、２部分３１０、３２０及び第１側面延長部分３３０の垂直上部先端面は上部フレーム１００の第１側面先端の内部面に当接するように上部フレーム１００と結合されて、垂直下部先端面は下部フレーム２００の第１側面先端の内部面に当接するように下部フレーム２００と結合することができる。
【０１７７】
併せて、第１側面フレーム３００の第１部分３１０を前面鋼板５００の第１側面５００Ｓ１の先端の中の後面方向（ｚ′）にバンディングされる部分が覆うように、第１側面フレーム３００と前面鋼板５００が結合されることができ、第１側面フレーム３００の第２部分３２０を背面鋼板６００の第１側面６００Ｓ１の先端の中の前面方向（ｚ）にバンディングされた部分が覆うように、第１側面フレーム３００と背面鋼板６００が結合されることができる。
【０１７８】
このような、第１側面フレーム３００に前面鋼板５００、背面鋼板６００、上部フレーム１００及び下部フレーム２００が結合されて、第１側面突出部１５が形成されることができる。
【０１７９】
第１側面排水路３４０は第１側面フレーム３００の第２部分３２０の外部面で上部排水路１１０の先端と噛み合う部分に位置することができ、第２側面１００Ｓ２方向（ｘ′）での内側に陥没されて、外装パネルの上部側面から下部側面まで垂直方向（ｙ−ｙ′）に長く延長されることができる。
【０１８０】
このような、第１側面排水路３４０の幅は上部排水路１１０の幅より大きく形成されて、上部排水路１１０に誘導される水が第１側面排水路３４０を通じて、外装パネルの下部方向（ｙ′）に円滑に流れるようにすることができる。
【０１８１】
第１側面ガスケット溝３５０は第１側面延長部分３３０の外部面に位置して、外装パネルの後面方向（ｚ′）に陥没され形成されることができており、外装パネルの上部側面から下部側面まで垂直方向（ｙ−ｙ′）に長く延長することができる。
【０１８２】
このような第１側面ガスケット溝３５０は第１側面延長部分３３０で第１側面フレーム３００の第１部分３１０より第２部分３２０にさらに隣接して位置することができる。
【０１８３】
併せて、第１側面ガスケット溝３５０の入り口は第１側面ガスケット溝３５０の内部面より幅が狭く形成することができる。これにより、第１側面ガスケット３６０が安定的に第１側面ガスケット溝３５０に固定されるようにすることができる。
【０１８４】
このような第１側面ガスケット溝３５０には前面方向（ｚ）に突出される第１側面ガスケット３６０が挿入締結することができる。
【０１８５】
このような第１側面ガスケット３６０は第１側面胴部３６３、第１側面頭部３６１及び第１側面連結部３６５が一体に形成され備えることができる。
【０１８６】
第１側面胴部３６３は第１側面ガスケット溝３５０内部に挿入され固定されて、第１側面頭部３６１は第１側面フレーム３００の第３部分から外装パネルの前面方向（ｚ）に突出されて、第１側面連結部３６５は第１側面胴部３６３と第１側面頭部３６１をお互いに連結することができる。
【０１８７】
ここで、第１側面連結部３６５の幅は第１側面胴部３６３及び第１側面頭部３６１の幅より狭く形成することができる。
【０１８８】
併せて、第１側面連結部３６５を通じて第１側面胴部３６３に連結された第１側面胴部３６１は複数個であることができ、一例で図示されるように、２個の第１側面頭部３６１が水平方向（ｘ−ｘ′）に離隔されて備えることができる。
【０１８９】
第１側面第１支持部３７０は第１側面フレーム３００の第１部分３１０が前面鋼板５００に厚さ方向（ｚ−ｚ′）に当接する先端から第２側面方向（ｘ′）にバンディング及び延長されて形成することができる。
【０１９０】
このような第１側面第１支持部３７０を前面鋼板５００の第１側面５００Ｓ１側の前面先端が覆うように配置されて、第１側面第１支持部３７０が前面鋼板５００の第１側面５００Ｓ１側の前面先端の内部面を支持することができる。
【０１９１】
併せて、第１側面第２支持部３８０は第１側面フレーム３００の第２部分３２０が背面鋼板６００に厚さ方向（ｚ−ｚ′）に当接する先端から第２側面方向（ｘ′）にバンディング及び延長されて形成することができる。
【０１９２】
このような第１側面第２支持部３８０を背面鋼板６００の第１側面６００Ｓ１側の後面先端が覆うように配置されて、第１側面第２支持部３８０が背面鋼板６００の第１側面６００Ｓ１側の後面先端の内部面を支持することができる。
【０１９３】
このような第１側面フレーム３００の第１、２支持部３７０、３８０は外装パネルを建築物の外壁に施工するために準備する過程の中で、外装パネルの前面鋼板５００と背面鋼板６００がお互いに当接するように配置させる場合、前面鋼板５００及び背面鋼板６００の第１側面形状が外装パネルの重さにより変形されたり毀損されることを防止することができる。
【０１９４】
図１７ないし図１９は本発明の第１実施例による建築用の外装パネルの第２側面フレーム４００を説明するための図である。
【０１９５】
図１７は建築用の外装パネルの第２側面フレーム４００を説明するための分解図であり、図１８は第２側面フレーム４００の断面図及び平面図であり、図１９は第２側面フレーム４００に前面鋼板５００と背面鋼板６００の他のフレームが結合された外装パネルの斜視図である。
【０１９６】
第２側面フレーム４００は第２側面フレーム４００の第１部分４１０ないし第２部分４２０、第２側面延長部分４３０、第２側面排水路４４０、第２側面第１支持部４５０及び第２側面第２支持部４６０を含めて、圧出成形と同じ方式などを通じて一体に形成することができる。
【０１９７】
併せて、これに加えて、第２側面フレーム４００の内部面には少なくとも一つの内部陥没部４７０が一体にさらに備えることができる。このような、第２側面フレーム４００に備えられた少なくとも一つの内部陥没部４７０については図２０ないし図２４で詳しく説明する。
【０１９８】
第２側面フレーム４００の第１部分４１０は前面鋼板５００の第２側面先端と当接し、外装パネルの厚さ方向（ｚ−ｚ′）に幅を有し、上部側面から下部側面まで垂直方向（ｙ−ｙ′）に延長することができる。
【０１９９】
第２側面フレーム４００の第２部分４２０は背面鋼板６００の第２側面先端と当接し、外装パネルの厚さ方向（ｚ−ｚ′）に幅を有して、第２側面フレーム４００の第１部分４１０から外装パネルの第１側面方向（ｘ）に陥没され位置して、外装パネルの上部側面から下部側面まで垂直方向（ｙ−ｙ′）に延長することができる。
【０２００】
このような第２側面フレーム４００の第２部分４２０の外部面には上部排水路１１０の先端と噛み合う部分に垂直方向（ｙ−ｙ′）に長く延長される第２側面排水路４４０が備えることができる。
【０２０１】
第２側面延長部分４３０は第２側面フレーム４００の第１部分４１０の前端から外装パネルの第１側面が位置する水平方向（ｘ−ｘ′）にバンディングされて第２側面フレーム４００の第２部分４２０まで延長され連結することができる。
【０２０２】
このような第２側面延長部分４３０は前面鋼板５００に備えられる前面突出部５３０よりさらに背面側に位置することができる。
【０２０３】
本発明の第１実施例では第２側面延長部分４３０の外側面が平坦な場合を一例で図示したが、これは異なり、第２側面延長部分４３０の外側面には垂直方向に長くグルーブが形成された複数の凹凸がさらに備えられることもできる。これについては図４４以下で後述する。
【０２０４】
第２側面フレーム４００の第１、２部分４１０、４２０及び第２側面延長部分４３０は外装パネルの第２側面陥没部１７の端部を形成することができる。
【０２０５】
第２側面フレーム４００の第１、２部分４１０、４２０及び第２側面延長部分４３０の垂直上部先端面は上部フレーム１００の第２側面先端の内部面に当接するように上部フレーム１００と結合されて、垂直下部先端面は下部フレーム２００の第２側面の先端の内部面に当接するように下部フレーム２００と結合することができる。
【０２０６】
このような第２側面フレーム４００の第１部分４１０を前面鋼板５００の第２側面前端の中の後面方向（ｚ′）にバンディングされた部分が覆うように、第２側面フレーム４００と前面鋼板５００が結合することができ、第２側面フレーム４００の第２部分４２０を背面鋼板６００の第２側面先端の中の前面方向（ｚ）にバンディングされる部分が覆うように、第２側面フレーム４００と背面鋼板６００が結合することができる。
【０２０７】
このような、第２側面フレーム４００に前面鋼板５００、背面鋼板６００、上部フレーム１００及び下部フレーム２００が結合されて、第２側面陥没部１７が形成できる。
【０２０８】
第２側面排水路４４０は第２側面フレーム４００の第２部分４２０の外部面で上部排水路１１０の先端と噛み合う部分に位置し、第１側面方向（ｘ）からの内側に陥没されて、外装パネルの上部側面から下部側面まで垂直方向（ｙ−ｙ′）に長く延長することができる。
【０２０９】
このような第２側面排水路４４０の幅は上部排水路１１０の幅より大きく、第１側面排水路の幅と同一に形成でき、上部排水路１１０に誘導される水が第２側面排水路４４０を通じて、外装パネルの下部方向に円滑に流れるようにすることができる。
【０２１０】
このような第２側面フレーム４００には第１側面フレーム３００と異なり、ガスケット溝やガスケットが備えられないことができる。
【０２１１】
第２側面第１支持部４５０は第２側面フレーム４００の第１部分４１０が前面鋼板５００に厚さ方向（ｚ−ｚ′）に当接する先端から第１側面方向（ｘ）にバンディング及び延長されて形成することができる。
【０２１２】
このような第２側面第１支持部４５０を前面鋼板５００の第２側面側前面先端が覆うように配置されて、第２側面第１支持部４５０が前面鋼板５００の第２側面側前面先端の内部面を支持することができる。
【０２１３】
第２側面第２支持部４６０は第２側面フレーム４００の第２部分４２０が背面鋼板６００に厚さ方向（ｚ−ｚ′）に当接する先端から第１側面方向（ｘ）にバンディング及び延長されて形成することができる。
【０２１４】
このような第２側面第２支持部４６０を背面鋼板６００の第２側面側の背面先端が覆うように配置され、第２側面第２支持部４６０が背面鋼板６００の第２側面側背面先端の内部面を支持することができる。
【０２１５】
このような第２側面フレーム４００の第１、２支持部４５０、４６０は外装パネルを建築物の外壁に施工するために準備する過程の中で、外装パネルの前面鋼板５００と背面鋼板６００がお互いに当接するように配置させる場合、前面鋼板５００及び背面鋼板６００の第２側面形状が外装パネルの重さにより変形されたり毀損されることを防止することができる。
【０２１６】
このような本発明の第１実施例による建築用の外装パネルはお互いに垂直方向（ｙ−ｙ′）に向かい合う上部及び下部フレーム２００ペア１００、２００または水平方向（ｘ−ｘ′）に向かい合う第１、２側面フレームペア３００、４００の中のある一つのペアのフレームのそれぞれの内部面には少なくとも一つの内部突出部が備えられて、残りの一つのペアのフレームのそれぞれの内部面には少なくとも一つの内部陥没部が備えられて、ある一つのペアのフレームのそれぞれの内部面に備えられた少なくとも一つの内部突出部は残りのひとつのペアのフレームのそれぞれの内部面に備えられた少なくとも一つの内部陥没部に挿入することができる。
【０２１７】
一例で、前述した図８ないし図１９で説明するように、上部フレーム１００及び下部フレーム２００のそれぞれの内部面には少なくとも一つの内部突出部１６０、２９０が備えることができ、第１側面フレーム３００及び第２側面フレーム４００のそれぞれの内部面には少なくとも一つの内部陥没部３９０、４７０が備えることができる。
【０２１８】
より具体的に、上部フレーム１００には上部排水路１１０を中心に前面方向（ｚ）側及び後面方向（ｚ′）側に、上部フレーム１００の内部面に複数の内部突出部１６０が形成することができる。
【０２１９】
併せて、下部フレーム２００には上部排水路１１０が垂直方向（ｙ−ｙ′）に投影される領域を中心に前面方向（ｚ）側及び後面方向（ｚ′）側に、下部フレーム２００の内部面に複数の内部突出部２９０が形成することができる。
【０２２０】
また、第１側面フレーム３００には第１側面排水路１１０を中心に前面方向（ｚ）側及び後面方向（ｚ′）側に、第１側面フレーム３００の内部面に複数の内部陥没部３９０が形成することができる。
【０２２１】
第２側面フレーム４００には第２側面排水路４４０を中心に前面方向（ｚ）側及び後面方向（ｚ′）側に、第２側面フレーム４００の内部面に複数の内部陥没部４７０が形成することができる。
【０２２２】
このように、上部フレーム１００及び下部フレーム２００のそれぞれに備えられた少なくとも一つの内部突出部１６０、２９０は第１側面フレーム３００及び第２側面フレーム４００のそれぞれに備えられた少なくとも一つの内部陥没部３９０、４７０に挿入され結合することができる。
【０２２３】
これについて、図２０ないし図２４を参考にして説明すれば次のようである。
【０２２４】
図２０は本発明の第１実施例による建築用の外装パネルで上部フレーム１００と第１側面フレーム３００が結合された内部構造を説明するための図であり、図２１は本発明の第１実施例による建築用の外装パネルで上部フレーム１００と第２側面フレーム４００が結合された内部構造を説明するための図である。
【０２２５】
図２２は本発明の第１実施例による建築用の外装パネルで下部フレーム２００と第１側面フレーム３００が結合された内部構造を説明するための図であり、図２３は本発明の第１実施例による建築用の外装パネルで下部フレーム２００と第２側面フレーム４００が結合された内部構造を説明するための図である。
【０２２６】
図２０に図示するように、水平方向（ｘ−ｘ′）に長く延長される上部フレーム１００の第１側面先端と垂直方向（ｙ−ｙ′）に長く延長される第１側面フレーム３００の上部先端がお互いに交差して結合することができる。
【０２２７】
この際に、上部フレーム１００の内部面に備えられた複数の内部突出部１６０が第１側面フレーム３００の内部面に備えられた複数の内部陥没部３９０に挿入されることができる。
【０２２８】
併せて、図２１に図示するように、水平方向（ｘ−ｘ′）に長く延長される上部フレーム１００の第２側面先端と垂直方向（ｙ−ｙ′）に長く延長される第２側面フレーム４００の上部先端がお互いに交差して結合することができる。
【０２２９】
この際に、上部フレーム１００の内部面に備えられた複数の内部突出部１６０が第２側面フレーム４００の内部面に備えられた複数の内部陥没部４７０に挿入されることができる。
【０２３０】
また、図２２に図示するように、水平方向（ｘ−ｘ′）に長く延長される下部フレーム２００の第１側面先端と垂直方向（ｙ−ｙ′）に長く延長される第１側面フレーム３００の下部先端がお互いに交差して結合することができる。
【０２３１】
この際に、下部フレーム２００の内部面に備えられた複数の内部突出部２９０が第１側面フレーム３００の内部面に備えられた複数の内部陥没部３９０に挿入することができる。
【０２３２】
また、図２３に図示するように、水平方向（ｘ−ｘ′）に長く延長される下部フレーム２００の第２側面先端と垂直方向（ｙ−ｙ′）に長く延長される第２側面フレーム４００の下部先端がお互いに交差して結合することができる。
【０２３３】
この際に、下部フレーム２００の内部面に備えられた複数の内部突出部２９０が第２側面フレーム４００の内部面に備えられた複数の内部陥没部３９０に挿入することができる。
【０２３４】
このように、お互いに向かい合う１ペアのフレーム［一例で、上部フレーム１００と下部フレーム２００］のそれぞれの内部面に備えられた少なくとも一つの内部突出部１６０、２９０はお互いに向かい合う残りの一つのペアのフレーム［一例で、第１側面フレーム３００と第２側面フレーム４００］のそれぞれの内部面に備えられた少なくとも一つの内部突出部３９０、４７０に挿入されるようにすることで、外装パネルを製造する際に、外装パネルの製造をより容易にすることができる。
【０２３５】
より具体的には、外装パネルを製造する際に、背面鋼板６００の外部面が地面を向かい、内部面が地面の上を向かうように配置した状態で、複数のフレームのそれぞれが背面鋼板６００の上下先端の内部面と第１、２側面の先端の内部面に配置されて立てられることができる。
【０２３６】
この際に、いずれかのペアのフレームのそれぞれの内部面に備えられた少なくとも一つの内部突出部は、残りの一つのペアのフレームのそれぞれの内部面に備えられた少なくとも一つの内部陥没部に挿入されるようにすることで、いずれかのペアのフレームと残りの一つのペアのフレームが互いに支持するようにして、各フレームが倒れないようにすることができる。
【０２３７】
これにより、各フレームに備えられた内部突出部と内部陥没部は外装パネルの製造をより容易にすることができる。
【０２３８】
加えて、本発明の第１実施例では、上部フレーム１００及び下部フレーム２００に内部突出部１６０、２９０が備えられ、第１、２側面フレーム３００、４００に内部陥没部が備えられた場合を一例としたが、これと異なり、上部フレーム１００及び下部フレーム２００に内部陥没部３９０、４７０が備えられ、第１、２側面フレーム３００、４００に内部突出部が備えられることも可能である。
【０２３９】
以下では、本発明の第１実施例による建築用の外装パネルで前面鋼板５００と背面鋼板６００の構造について詳しく説明する。
【０２４０】
図２４ないし図２７は、本発明の第１実施例による建築用の外装パネルから前面鋼板５００の構造を説明するための図である。
【０２４１】
ここで、図２４は、前面鋼板５００の全体的な斜視図であり、図２５の（ａ）は、図２４でｙ−ｙ′ラインに沿った前面鋼板５００の垂直方向（ｙ−ｙ′）の断面を示したあり、図２５の（ｂ）は、図２４のｘ−ｘ′のラインに沿った前面鋼板５００の水平方向（ｘ−ｘ′）の断面を示したものであり、図２６の（ａ）は、図２５で５００Ｋ１部分の前面拡大図、図２６の（ｂ）は、図２５で５００Ｋ１の部分の後面拡大図を図示したものであり、図２７の（ａ）は、図２５で５００Ｋ２の部分の前面拡大図、図２６の（ｂ）は、図２５で５００Ｋ２の部分の後面拡大図を示したものである。
【０２４２】
前面鋼板５００は、前述した４つのフレームの前面に位置して、外装パネルの前面を形成することができ、このような前面鋼板５００は、前面ボディー５１０、前面上部顎５２０、前面突出部５３０、前面上部フレーム１００のカバー５４０、第１前面下部フレーム２００のカバー５５０、第２前面下部フレーム２００のカバー５６０、前面鋼板５００の第１側面５７０と前面鋼板５００の第２側面５８０を含めて一体に備えることができる。
【０２４３】
すなわち、前面鋼板５００の各部分は、一つの鋼板をバンディングして一体に形成することができる。
【０２４４】
ここで、図２５の（ａ）、図２６、図２７に示すように、前面ボディー５１０は、外装パネルの前面に垂直方向（ｙ−ｙ′）と水平方向（ｘ−ｘ′）に広く形成されることができ、前面上部顎５２０は、前面ボディー５１０の上部先端から背面鋼板６００が位置する厚さ方向（ｚ−ｚ′）にバンディング及び延長されることができる。
【０２４５】
前面突出部５３０は、前面上部顎５２０の先端から上部方向（ｙ）にバンディング及び延長されることができ、前面上部フレーム１００のカバー５４０は、前面突出部５３０の上部先端から背面鋼板６００が位置する後面方向（ｚ′）にバンディング及び延長されることができる。
【０２４６】
このような前面上部フレーム１００のカバー５４０は、上部フレーム１００の上部側面の一部を覆って上部フレーム１００に結合されることができ、強風や台風などの強い外力によって前面鋼板５００が上部フレーム１００から離脱することを防止することができる。
【０２４７】
また、第１前面下部フレーム２００のカバー５５０は、前面ボディー５１０の下部先端から後面方向（ｚ′）にバンディング及び延長され、第２前面下部フレーム２００のカバー５６０は、第１前面下部フレーム２００のカバー５５０の後面方向（ｚ′）の先端から上部方向（ｙ）にバンディング及び延長されることができる。
【０２４８】
このような第１、第２前面下部フレーム２００のカバーは、下部フレーム２００の下部側面と陥没垂直面を覆って、下部フレーム２００に結合されることができ、強風や台風などの強い外力によって前面鋼板５００が下部フレーム２００から離脱することを防止することができる。
【０２４９】
併せて、図２５の（ｂ）、図２６、図２７に示すように、前面鋼板５００の第１側面５７０は、前面ボディー５１０の水平方向（ｘ−ｘ′）第１側面の方の先端から後面方向（ｚ′）にバンディング及び延長され、前面鋼板５００の第２側面５８０は、前面ボディー５１０の水平方向（ｘ−ｘ′）第２側面の方の先端から後面方向（ｚ′）にバンディング及び延長されることができる。
このような前面鋼板５００の第１、２側面５７０、５８０は、第１、２側面フレーム３００、４００の第１、２側面を覆って、第１、２側面フレーム３００、４００と結合することができる。
ここで、前面突出部５３０の上部方向（ｙ）の延長幅Ｈ５３０は上部顎の厚さ方向（ｚ−ｚ′）の延長幅Ｗ５２０より大きいことができ、上部顎の厚さ方向（ｚ−ｚ′）の延長幅Ｗ５２０は、第１前面下部フレーム２００のカバー５５０の延長幅Ｗ５５０と同じか、大きくなることができる。
【０２５０】
前面突出部５３０の上部方向（ｙ）の延長幅Ｈ５３０は下部フレーム２００の第２下部フレーム部分２２０の下部方向（ｙ′）の延長幅より大きくすることができる。
【０２５１】
これにより、複数の建築用の外装パネルを互いに垂直方向（ｙ−ｙ′）に結合する際に、複数の外装パネルを前面から見ると、垂直方向（ｙ−ｙ′）に結合される複数の建築用の外装パネルの間がまるで離隔されるように見えるように水平方向（ｘ−ｘ′）に長くラインが形成されるようにすることができる。これにより、複数の建築用の外装パネルの外観をより美しくすることができる。
【０２５２】
また、前面鋼板５００の第１、２側面５７０、５８０の厚さ方向（ｚ−ｚ′）の延長幅Ｗ５８０は、前面上部顎５２０の厚さ方向（ｚ−ｚ′）の延長幅Ｗ５２０と同じか大きいことができる。
【０２５３】
図２８ないし図３１は、本発明の第１実施形態による建築用の外装パネルで背面鋼板６００の構造を説明するための図である。
【０２５４】
ここで、図２８は、背面鋼板６００の全体的な斜視図であり、図２９の（ａ）は、図２８でｙ−ｙ′のラインに沿った背面鋼板６００の垂直方向（ｙ−ｙ′）の断面を示したものであり、図２９の（ｂ）は、図２８のｘ−ｘ′のラインに沿った背面鋼板６００の水平方向（ｘ−ｘ′）の断面を示したものであり、図３０の（ａ）は、図２８で６００Ｋ１部分の前面拡大図、図３０の（ｂ）は、図２８で６００Ｋ１部分の後面拡大図を図示したものであり、図３１の（ａ）は、図２８で６００Ｋ２の部分の前面拡大図、図３１の（ｂ）は、図２８で６００Ｋ２部分の後面拡大図を示したものである。
【０２５５】
背面鋼板６００は、前述した４つのフレームの後面に位置して、外装パネルの後面を形成することができ、このような背面鋼板６００は、背面ボディー６１０、背面上部顎６２０、背面突出部６３０、背面上部フレームカバー６４０、第１背面下部フレーム２００のカバー６５０、第２背面下部フレーム２００のカバー６６０、背面鋼板６００の第１側面６７０及び背面鋼板６００の第２側面６８０を含めて一体に備えることができる。すなわち、背面鋼板６００の各部分は、一つの鋼板をバンディングして一体に形成することができる。
【０２５６】
ここで、図２９の（ａ）、図３０、図３１に示すように、背面ボディー６１０は、外装パネルの後面に垂直方向（ｙ−ｙ′）及び水平方向（ｘ−ｘ′）に広く形成されることができ、背面上部顎６２０は、背面ボディー６１０の上部先端から前面鋼板５００が位置する厚さ方向（ｚ−ｚ′）にバンディング及び延長されることができる。
【０２５７】
背面突出部６３０は、背面上部顎６２０の先端から上部方向（ｙ）にバンディング及び延長されることができ、背面上部フレームカバー６４０は、背面突出部６３０の先端から前面鋼板５００が位置する前面方向（ｚ）にバンディング及び延長されることができる。
【０２５８】
これにより、背面突出部６３０の上部先端は上部フレーム１００の第２上部支持部１５０及び上部ボディー面１０１の背面先端を覆って、上部フレーム１００と結合することができる。
【０２５９】
この際、背面鋼板６００と、上部フレーム１００との間には、前述したように、断熱性部材７００が位置して、背面鋼板６００と、上部フレーム１００との間に発生する可能性のある結露を防ぐことができる。
【０２６０】
このような背面上部フレームカバー６４０は、上部フレーム１００の上部側面の一部を覆って上部フレーム１００に結合することができ、強風や台風などの強い外力によって背面鋼板６００が上部フレーム１００から離脱することを防止することができる。
【０２６１】
また、第１背面下部フレーム２００のカバー６５０は、背面ボディー６１０の下部先端から前面鋼板５００が位置する前面方向（ｚ）にバンディング及び延長され、第２背面下部フレーム２００カバー６６０は、第１背面下部フレーム２００のカバー６５０の背面方向（ｚ′）の先端から上部方向（ｙ）にバンディング及び延長されることができる。
【０２６２】
これにより、第１背面下部フレーム２００のカバー６５０は、第５下部フレーム部分２５０を覆い、第２背面下部フレーム２００のカバー６６０は、第４下部フレーム部分２４０を覆って、下部フレーム２００と結合することができる。
【０２６３】
この際、第１背面下部フレーム２００のカバー６５０と第５下部フレーム部分２５０との間及び第２背面下部フレーム２００のカバー６６０と第４下部フレーム部分２４０との間には、前述したような断熱性部材７００が位置して、背面鋼板６００と下部フレーム２００との間の結合された部分に結露が発生することを防ぐことができる。
【０２６４】
併せて、図２９の（ｂ）、図３０、図３１に示すように、背面鋼板６００の第１側面６７０は、背面ボディー６１０の水平方向（ｘ−ｘ′）の第１側面の方の先端から前面方向（ｚ）にバンディング及び延長され、背面鋼板６００の第２側面６８０は、背面ボディー６１０の水平方向（ｘ−ｘ′）の第２側面の方の先端から前面方向（ｚ）にバンディングと延長されることができる。
【０２６５】
このような背面鋼板６００の第１、２側面６７０、６８０は、第１、２側面フレーム３００、４００の一部を覆って、第１、２側面フレーム３００、４００と結合することができる。
【０２６６】
ここで、背面上部顎６２０の厚さ方向の幅Ｗ６２０は、第１背面下部フレーム２００のカバー６５０の延長幅Ｗ６５０と同じにすることができる。
【０２６７】
併せて、背面上部顎６２０の厚さ方向の幅Ｗ６２０は、前面上部顎５２０の厚さ方向の幅Ｗ５２０より小さくすることができる。
【０２６８】
併せて、背面上部顎６２０は、前面上部顎５２０より上部フレーム１００側にさらに近い位置することができる。したがって、背面突出部６３０の上部方向（ｙ）の延長幅Ｈ６３０は、前面突出部５３０の上部方向（ｙ）の延長幅Ｈ５３０より小さくすることができる。
【０２６９】
併せて、第１背面下部フレーム２００のカバー６５０の垂直方向（ｙ−ｙ′）の位置は、第１前面下部フレーム２００のカバー５５０の垂直方向（ｙ−ｙ′）の位置より上部の方向（ｙ）に位置することができる。
【０２７０】
このような本発明の第１実施例による建築用の外装パネルは、前面鋼板５００、背面鋼板６００、上部フレーム１００、下部フレーム２００、第１側面フレーム３００及び第２側面フレーム４００が組み立て及び結合されて、一体に形成することができる。
【０２７１】
併せて、本発明の第１実施例による建築用の外装パネルは、背面鋼板６００、上部フレーム１００、下部フレーム２００、第１側面フレーム３００及び第２側面フレーム４００のそれぞれの独特の形状により、外装パネルの上部には、上部突出部１１、下部には下部陥没部１３、第１側面には、第１側面突出部１５、第２側面には、第２側面陥没部１７が備えることができる。
【０２７２】
加えて、本発明の第１実施例による建築用の外装パネルは、第２側面陥没部１７を除いた上部突出部１１の突出した上部側面、下部陥没部１３の陥没した下部側面、第１側面突出部１５の突出された側面のそれぞれの部分にガスケットを備えることができ、それぞれのガスケットは、外装パネルを互いに結合して、建築物の外壁に施工する際に、外装パネルに予め一体に固定されたガスケットは、施工過程をより容易にすることができ、施工過程がガスケットによって妨害されないようにすることができる。
【０２７３】
以下では、第１実施例による複数の建築用の外装パネルが上下方向と水平方向（ｘ−ｘ′）に結合される一例を説明する。
【０２７４】
図３２は、複数の建築用の外装パネルが垂直方向（ｙ−ｙ′）に結合された様子を拡大し図示したものであり、図３３は、複数の建築用の外装パネルが水平方向（ｘ−ｘ′）に結合された様子を拡大図示したものである。
【０２７５】
図３２に示すように、複数の建築用の外装パネルは、垂直方向（ｙ−ｙ′）に組み立てられて結合されることができ、この際、複数の外装パネルの上部に位置する第１外装パネル１０ａの下部側面に形成された下部陥没部１３が下部に位置する第３外装パネル１０ｃの上部側面に形成された上部突出部１１に当接して挿入、結合することができる。
【０２７６】
この際、第３外装パネル１０ｃの上部突出部１１と、第１外装パネル１０ａの下部陥没部１３との間は、図３２のように、第１外装パネル１０ａの下部ガスケット２７０と第３外装パネル１０ｃの上部ガスケット１３０により垂直方向（ｙ−ｙ′）に離隔されることができる。
【０２７７】
この際、第１外装パネル１０ａに備えられた前面鋼板５００の下部先端と第３外装パネル１０ｃの前面上部顎５２０との間及び第１外装パネル１０ａに備えられた背面鋼板６００の下部先端と第３外装パネル１０ｃの背面上部顎６２０との間が離隔することができる。
【０２７８】
ここで、第１外装パネル１０ａに備えられた前面鋼板５００の下部先端と第３外装パネル１０ｃの前面上部顎５２０との間の第１離隔間隔Ｄ１は、第１外装パネル１０ａに備えられた背面鋼板６００の下部先端と第３外装パネル１０ｃの背面上部顎６２０との間の第２離隔間隔Ｄ２より大きく形成することができる。
【０２７９】
このように、本発明による建築用の外装パネルの組立構造は、第１外装パネル１０ａと第３外装パネル１０ｃとの間が垂直方向（ｙ−ｙ′）に離隔されていても、上部排水路１１０の前面と後面にある下部ガスケット２７０と、上部ガスケット１３０により、複数の外装パネルの前面外部から建築物の外壁が位置する背面方向（ｚ′）に冷たい空気が流入することを効果的に遮断することができる。
【０２８０】
加えて、上部排水路１１０が上部ガスケット１３０と下部ガスケット２７０との間に位置して、外部から外装パネルの間の空間に流入されても、建築物の外壁と外装パネルの間の空間に水漏れが発生する可能性を事前に遮断することができる。
【０２８１】
また、上部排水路１１０に流入される水は、図３２及び図３３に示すように、第１、２側面排水路を介して、外装パネルの下部方向（ｙ′）に流れるようにすることができる。
【０２８２】
図３３に示すように、複数の建築用の外装パネルは、水平方向（ｘ−ｘ′）に組み立てられて結合されることができ、この際、複数の外装パネルの中の水平方向（ｘ−ｘ′）にいずれかの側面にある第１外装パネル１０ａと第１外装パネル１０ａの第２側面に水平に位置する第２外装パネル１０ｂが水平方向に結合することができる。
【０２８３】
ここで、第１外装パネル１０ａの第１側面に形成される第１側面突出部１５が第２外装パネル１０ｂの第２側面に形成される第２側面陥没部１７に当接して挿入および結合することができる。
【０２８４】
この際、第１外装パネル１０ａの第１側面突出部１５と第２外装パネル１０ｂの第２側面陥没部１７との間は、図３３のように、第１外装パネル１０ａの第１側面ガスケット３６０により水平方向（ｘ−ｘ′）に離隔されることができる。
【０２８５】
この際、第１外装パネル１０ａに備えられた前面鋼板５００の第１側面先端と第２外装パネル１０ｂに備えられた前面鋼板５００の第２側面先端の間及び第１外装パネル１０ａに備えられた背面鋼板６００の第１側面先端と第２外装パネル１０ｂに備えられた背面鋼板６００の第２側面先端の間に離隔されることができる。
【０２８６】
ここで、第１外装パネル１０ａに備えられた前面鋼板５００の第１側面先端と第２外装パネル１０ｂに備えられた前面鋼板５００の第２側面先端の間の第３離隔間隔Ｄ３と第１外装パネル１０ａに備えられた背面鋼板６００の第１側面先端と第２外装パネル１０ｂに備えられた背面鋼板６００の第２側面先端の間が第４離隔間隔Ｄ４は、互いに同一にすることができる。
【０２８７】
このように、本発明による建築用の外装パネルの組立構造は、第１外装パネル１０ａと第２外装パネル１０ｂとの間が水平方向（ｘ−ｘ′）に離隔されていても、第１外装パネル１０ａの第１側面突出部１５に備えられた第１側面ガスケット３６０により、複数の外装パネルの前面外部から建築物の外壁が位置する背面方向（z'）に冷たい空気が流入することを効果的に遮断することができる。
【０２８８】
また、本発明に係る外装パネルは、水平方向（ｘ−ｘ′）での両側面にガスケットが備えたものではなく、両側面のいずれかの側面のみに第１側面ガスケット３６０が備えられており、複数の外装パネルを水平方向（ｘ−ｘ′）に組み立てた際に、ガスケットが組み立て施工過程に全く妨害されないようにすることができる。
【０２８９】
すなわち、複数の外装パネルを組み立てる際に、外装パネルを水平方向（ｘ−ｘ′）に移動させ、図３３のように結合させることができるが、外装パネルの第１側面突出部１５と第２側面陥没部１７の両側にガスケットが備えている場合、ガスケットが互いに掛かって施工が不便になることがあるが、本発明は、外装パネルの第１側面突出部１５と第２側面陥没部１７の中の第１側面突出部１５のみに形成されるようにして、施工をより容易にすることができる。
【０２９０】
併せて、本発明の第１実施例では、側面ガスケットが第１側面突出部１５に形成される場合を一例で説明したが、第１側面突出部１５ではない第２側面陥没部１７に形成されることもできる。
【０２９１】
今までは、外装パネルの上部に上部突出部１１、下部に下部陥没部１３、第１側面に第１側面突出部１５、第２側面に第２側面陥没部１７が備えられている場合を本発明の第１実施例で説明した。
【０２９２】
しかし、本発明は、必ずしもこれに限定されるものではなく、建築物の外壁に配置される建具との結合を容易にするために、４つのフレームの中のいくつかのフレームの形が変形することができる。
【０２９３】
一例として、建具との結合のために、外装パネルの第１側面で第１側面突出部１５が省略され、第１側面の形状が全体的に平坦に形成されたり、外装パネルの第２側面で第２側面陥没部１７が省略され、第２側面の形状が全体的に平坦に形成することができる。
【０２９４】
これにより、外装パネルが建具の窓枠に容易に結合されるようにすることができる。
【０２９５】
以下では、このように、外装パネルの第１、２側面のそれぞれで第１側面突出部１５が省略されたり、第２側面陥没部１７が省略された一例を説明する。
【０２９６】
図３４ないし図３５は、本発明による建築用の外装パネルの第１実施例について第１変更例を説明するための図である。
【０２９７】
ここで、図３４は、第１側面突出部１５が省略された第１変更例による建築用の外装パネルを説明するための図であり、図３５の（ａ）及び（ｂ）は、第１側面突出部１５が省略された外装パネルの第１側面に用いられる第１側面フレーム３００′の変形例を説明するための平面図と断面図である。
【０２９８】
図３４に示すように、第１変更例による建築用の外装パネルは、第１側面突出部１５が省略された点を除き、上部突出部１１、下部陥没部１３及び第２側面陥没部１７は、第１実施例と同一であることができる。
【０２９９】
ただし、第１側面突出部１５が省略され、上部突出部１１を形成する上部フレーム１００′の第１側面の側の平面形状及び下部陥没部１３を形成する下部フレーム２００の第１側面の側の平面形状は、第１実施例と異なって形成することができる。
【０３００】
すなわち、上部フレーム１００′の第１側面の側の平面形状が水平方向（ｘ−ｘ′）に突出されておらず、上部排水路１１０を形成する部分を除いて、第１側面先端のラインが直線で形成されることができ、下部フレーム２００でも第１側面の側の平面形状が水平方向（ｘ−ｘ′）に突出されておらず、第１側面先端のラインが直線で形成されることができる。
【０３０１】
さらに、前面鋼板５００′の第１側面先端の位置と背面鋼板６００′の第１側面先端の位置は、互いに同一にすることができる。
【０３０２】
また、第１側面突出部１５が省略される外装パネルの第１側面に用いられる変形された第１側面フレーム３００′は、第１実施例の第１側面フレーム３００と比べて、第３部分が省略され、第１側面フレーム３００′の第１部分と第２部分が同じ垂直方向（ｙ−ｙ′）のライン上に位置することができ、第１側面ガスケット３６０溝と第１側面ガスケット３６０が省略されることができる。
【０３０３】
これにより、本発明の第１変更例に基づいて変形された第１側面フレーム３００′は、第１側面フレームボディー３２０′、第１側面排水路３４０、第１側面の第１支持部３７０及び第１側面の第２支持部３８０を含めて一体に形成することができる。
【０３０４】
併せて、これに加えて、第１側面フレームボディー３２０′の内部面には少なくとも一つの内部陥没部３９０が一体にさらに備えることができる。
【０３０５】
ここで、第１側面フレームボディー３２０′は、前面鋼板５００の第１側面先端と背面鋼板６００の第１側面先端と当接して、外装パネルの厚さ方向（ｚ−ｚ′）で幅を有し、上部側面から下部側面まで垂直方向（ｙ−ｙ′）に延長されることができる。
【０３０６】
加えて、第１側面フレームボディー３２０′の外部面には、上部排水路１１０の先端と噛み合う部分に垂直方向（ｙ−ｙ′）に長く延長される第１側面排水路３４０が備えられることができる。
【０３０７】
併せて、第２実施例に基づいて変形された第１側面フレーム３００の残りの第１側面排水路３４０、第１側面の第１、２支持部３７０、３８０、および内部陥没部３９０は、前述した第１実施例で説明したことと同じように形成されることができる。
【０３０８】
加えて、図３５の（ａ）に図示された第１変更例に基づいて変形された第１側面フレーム３００の平面形状も第１実施例と同一にすることができる。
【０３０９】
図３６ないし図３７は、本発明による建築用の外装パネルの第１実施例の第２変更例を説明するための図である。
【０３１０】
ここで、図３６は、第２側面陥没部１７が省略された第２変更例による建築用の外装パネルを説明するための図であり、図３７の（ａ）及び（ｂ）は、第２側面陥没部１７が省略された外装パネルの第２側面に用いられる第２フレームの変更例を説明するための平面図と断面図である。
【０３１１】
図３６に示すように、第２変更例による建築用の外装パネルは、第２側面陥没部１７が省略された点を除き、上部突出部１１、下部陥没部１３及び第２側面陥没部１７は、第１実施例と同様に維持することができる。
【０３１２】
ただし、第２側面陥没部１７が省略され、上部突出部１１を形成する上部フレーム１００″の第２側面の側の平面形状と下部陥没部１３を形成する下部フレーム（図示せず）の第２側面の側の平面形状は、第１実施例と異なることができる。
【０３１３】
すなわち、上部フレーム１００″の第２側面の側の平面形状が水平方向（ｘ−ｘ′）に陥没されず、上部排水路１１０を形成する部分を除いて、第２側面先端のラインが直線で形成されることができ、下部フレーム２００（図示せず）で第２側面先端の平面形状が水平方向（ｘ−ｘ′）に陥没されず、第２の側面先端のラインが直線で形成されることができる。
【０３１４】
併せて、前面鋼板５００″の第２側面先端の位置と背面鋼板６００″の第２側面先端の位置は、互いに同一ですることができる。
【０３１５】
また、第２側面陥没部１７が省略された外装パネルの第２側面に用いられる変形される第２側フレーム４００は、第１実施例の第１側面フレーム３００と比べて、第３部分が省略され、第２側面フレーム４００の第１部分４１０と第２部分４２０が同じ垂直方向（ｙ−ｙ′）のライン上に位置することができる。
【０３１６】
これにより、本発明の第２変更例に基づいて変形された第２側面フレーム４００は、第２側面フレームボディー４２０′、第２側面排水路４４０、第２側面の第１支持部４５０及び第２側面の第２支持部４６０を含めて一体に形成することができる。
【０３１７】
併せて、これに加えて、第２側面フレームボディー４２０′の内部面には少なくとも一つの内部陥没部４７０が一体にさらに備えることができる。
【０３１８】
ここで、第２側面フレーム４００ボディー４２０′は、前面鋼板５００″の第２側面先端と背面鋼板６００″の第２側面先端と当接して、外装パネルの厚さ方向（ｚ−ｚ′）に幅を有し、上部側面から下部側面まで垂直方向（ｙ−ｙ′）に延長されることができる。
【０３１９】
加えて、第２側面フレームボディー４２０′の外側面には、上部排水路１１０の先端と噛み合う部分に垂直方向（ｙ−ｙ′）に長く延長される第２側面排水路４４０が備えられることができる。
【０３２０】
併せて、第２変更例に基づいて変形された第２側面フレーム４００の残りの第２側面排水路４４０、第２側面の第１、２支持部４５０、４６０、および内部陥没部４７０は、前述した第１実施例で説明したことと同じように形成されることができる。
【０３２１】
加えて、図３７の（ａ）に図示された第２変更例に基づいて変形された第２側面フレーム４００の平面形状も第１実施例と同一にすることができる。
【０３２２】
このような本発明の第１、２変更例による建築用の外装パネルは、第１側面突出部１５が省略されたり、第２側面陥没部１７が省略され、建具との結合をより容易かつ緊密にすることができる。
【０３２３】
前述した本発明の第１実施例では、上部フレーム１００と、第１、２の側面フレームに排水路が備えている場合を一例として説明したが、パネルの製造コストを削減するために、上部フレームに備えられた排水路１１０が省略されることも可能である。
【０３２４】
以下では、このように、建築用の外装パネルで排水路が省略された場合を一例で説明する。
【０３２５】
図３８ないし図４３は、本発明による建築用の外装パネルの第２実施例を説明するための図である。
【０３２６】
図３８は、本発明の第２実施例による建築用の外装パネルの垂直側面を示したものであり、図３９は、本発明の第２実施例では、建築用の外装パネルの水平上部面を示すものである。
【０３２７】
併せて、図４０は、本発明の第２実施例による上部フレーム１００の断面図、図４１は、本発明の第２実施例による下部フレーム２００の断面図、図４１は、本発明の第２実施例による第１側面フレーム３００の断面図、図４１は、本発明の第２実施例による第２側面フレーム４００の断面図を示したものである。
【０３２８】
図３８及び図３９に示すように、本発明の第２実施例による建築用の外装パネルは、前述した第１実施例と異なり、外装パネルの上部面に排水路が備えておらず、上部面から排水路が備えされた部分は平坦に構成することができる。併せて、外装パネルの第１、２側面では、第１、２側面排水路３４０、４４０が、第１実施例と同様に備えることができる。
【０３２９】
これにより、図４０に示すように、上部フレーム１００には、排水路が省略され、第１実施例では排水路が備えられた上部ボディー面１０１が平坦に備えられることができる。
【０３３０】
これにより、上部フレーム１００は、上部排水路が省略された状態で、上部ボディー面１０１、上部ガスケット溝１２０、上部ガスケット１３０、第１上部支持部１４０、第２上部支持部１５０を含めて形成されることができ、上部フレーム１００の内部面には、１つの突出部１６０が備えることができる。
【０３３１】
併せて、上部フレーム１００から上部ボディー面１０１の背面先端及び第２上部支持部１５０の外側面には、前述のような断熱性部材７００が備えられて、背面鋼板６００の上部先端と上部フレーム１００の結合部分に結露が発生する問題を防ぐことができる。
【０３３２】
併せて、本発明の第２実施例による上部フレーム１００の残りの各構成部分についての説明は、以前の第１実施例で説明したことと同一なので省略する。
【０３３３】
併せて、図４１に示すように、本発明の第２実施例による下部フレーム２００の構成は、下部フレーム２００の内側面に備えられた内部突出部２９０が一つである点を除いては、第１実施例による下部フレーム２００の構成と同じにすることができる。
【０３３４】
したがって、下部フレーム２００は、第１ないし第５下部フレーム部分２１０、２２０、２３０、２４０、２５０、下部ガスケット溝２６０、下部ガスケット２７０及び、第１下部支持部２８１及び、少なくとも一つの内部突出部２９０を備えることができる。
【０３３５】
このように、本発明の第２実施例による下部フレーム２００についての具体的な説明は、第１実施例で説明した下部フレーム２００についての説明で代替する。
【０３３６】
加えて、本発明の第２実施例の下部フレーム２００でも、第４、５下部フレーム２００の外側面に断熱性部材７００が位置することができ、背面鋼板６００の下部先端が断熱性部材７００が備えられた第４、５下部フレーム２４０、２５０の外側面に密着して結合することができる。
【０３３７】
これにより、背面鋼板６００の下部先端と下部フレーム２００の結合部分に結露が発生される問題を防ぐことができる。また、図４２に示すように、本発明の第２実施例による第１側面フレーム３００では、第１側面排水路３４０が、第１実施例と同様に維持することができる。
【０３３８】
これにより、第１側面フレーム３００は、第１側面排水路３４０、第１側面フレーム３００の第１部分３１０、第２部分３２０、第１側面の延長部分３３０、第１側面ガスケット溝３５０、第１側面ガスケット３６０、第１側面の第１支持部３７０及び第１側面の第２支持部３８０を含み、押出成形のような方法などを通じて一体に形成されることができ、第１側面フレーム３００の内部面には、１つの内部陥没部３９０が一体に備えられることができる。
【０３３９】
併せて、本発明の第２実施例による第１側面フレーム３００の残りの各構成部分についての説明は、以前の第１実施例で説明したことと同一なので省略する。
【０３４０】
また、図４３に示すように、本発明の第２実施例による第２側面フレーム４００では、第２側面排水路４４０が、第１実施例と同様に維持することができる。
【０３４１】
これにより、第２側面フレーム４００は、第２側面排水路４４０、第２側面フレーム４００の第１部分４１０ないし第２部分４２０、第２側面延長部４３０、第２側面の第１支持部４５０及び第２側面の第２支持部４６０を含めて、押出成形のような方法などを通じて一体に形成されることができ、第２側面フレーム４００の内部面には１つの内部陥没部４７０が一体に備えられることができる。
【０３４２】
併せて、本発明の第２実施例による第２側面フレーム４００の残りの各構成部分についての説明は、以前の第１実施例で説明したことと同一なので省略する。
【０３４３】
本発明による建築用の外装パネルで、これまでの第１、２実施例では、第１側面フレーム３００に備えられた第１側面延長部分３３０にガスケットが備えられ、第２側面フレーム４００に備えられた第２側面延長部分４３０は、平坦に備えられる場合を一例として説明したが、一方で、第２側面延長部分４３０にガスケットが備えられ、第１側面延長部分３３０が平坦に備えることもできる。
【０３４４】
加えて、第１側面延長部分３３０にガスケットが備えている場合、第２側面延長部分４３０には、複数の凹凸が備えられることもできる。
【０３４５】
これについて、より具体的に説明すると、次の通りである。
【０３４６】
図４４ないし図４５は、本発明による建築用の外装パネルの第１、２実施例で、第２側面フレーム４００についての変更例を説明するための図である。
【０３４７】
図４４の（ａ）および図４５に示すように、第２側面フレーム４００から第２側面陥没部１７を形成するために、水平方向（ｘ−ｘ′）に延長される部分である第２側面フレーム４００の第２側面延長部分４３０の外側面には、複数の凹凸４３０Ｐが形成されることができる。
【０３４８】
このような複数の凹凸４３０Ｐは、水平方向（ｘ−ｘ′）に突出部と陥没部が繰り返されるように形成され、複数の凹凸を形成する各突出部と陥没部は垂直方向に長く延長されることができる。
【０３４９】
ここで、第２側面延長部分４３０は、図４４の（ｂ）に示すように、二つの建築物用の外装パネルを下肢金物３０の前面に施工する際に、隣接する建築用の外装パネルの第１側面フレーム３００の第１側面ガスケット３６０が当接する部分である。
【０３５０】
これにより、第２側面延長部分４３０の外側面に複数の凹凸４３０Ｐが形成される場合には、互いに接して施工される２つの建築用の外装パネルとの間の側面を通じて発生する可能性のある熱交をより緊密に遮断することができる。
【０３５１】
ここで、第２側面延長部分４３０の外側面に複数の凹凸４３０Ｐは、図４４の（ａ）に示すように、水平方向（ｘ−ｘ′）に突出部と陥没部が交互に形成され、突出部と陥没部のそれぞれ曲面を有して形成されたり、図４５に示すように、突出部と陥没部がそれぞれ角形状である四角形状に形成することができる。
【０３５２】
今まで本発明による建築用の外装パネルの第１、２実施例では、上部フレーム及び下部フレームにそれぞれガスケット溝とガスケットが備えている場合を一例として説明したが、上部フレーム及び下部フレームについての製造コストをより削減するために、上部フレーム及び下部フレームのそれぞれガスケット溝とガスケットが省略されることもできる。これに対して、より具体的に説明すると、次の通りである。
【０３５３】
図４６ないし図４７は、本発明による建築用の外装パネルでは、上部フレーム及び下部フレームの変更例を説明するための図である。
【０３５４】
図４６及び図４７は、前述した第１、２実施例と同じ部分の説明は省略し、異なる部分を中心に説明する。
【０３５５】
図４６は、上部フレーム１００の変更例による断面図、図４７は、下部フレームの変更例による断面図を示したものである。
【０３５６】
図４６に示すように、上部フレーム１００の変更例は、上部ガスケット溝１２０及び上部ガスケット１３０が省略され、上部ボディー面１０１、第１上部支持部１４０、第２上部支持部１５０及び断熱性部材７００を含めて形成されることができ、上部フレーム１００の内部面は、１つの突出部１６０が備えられることができる。
【０３５７】
併せて、変更例による上部フレーム１００は、上部ボディー面１０１に緩衝部材１００Ｐが少なくとも一つ備えられることができる。図４６では、緩衝部材１００Ｐが２つ備えている場合を一例として示した。
【０３５８】
このような緩衝部材１００Ｐは、前述の断熱部材７００と同じ材質を用いることができる。したがって、緩衝部材１００Ｐは、上部ボディー面１０１に粘着される粘着部と粘着部の上に一体に形成される緩衝部を備えることができ、緩衝部はＰＶＣ（Ｐｏｌｙ  Ｖｉｎｙｌ  Ｃｈｌｏｒｉｄｅ）発泡フォーム材質で形成することができる。
【０３５９】
このような緩衝部材１００Ｐは、水平方向に長く配置されることができ、上部ボディー面１０１の上に厚さ方向（ｚ−ｚ′）で離隔されることができる。
【０３６０】
ここで、水平方向に長く配置される２つの緩衝部材１００Ｐは、上部フレーム１００で省略された排水路を形成することができる。すなわち、２つの緩衝部材１００Ｐとの間の空間が排水路と同じ役割を実行することができる。
【０３６１】
したがって、厚さ方向に離間された２つの緩衝部材１００Ｐは、外装パネルの第１側面に形成される第１側面排水路３４０と、外部パネルの第２側面に形成される第２側面排水路４４０が２つの緩衝部材１００Ｐとの間の空間と垂直に当接するように、位置することができる。
【０３６２】
すなわち、上部ボディー面１０１の２つの緩衝部材１００Ｐとの間に位置して水平方向に長く伸びる領域の第１側面先端は、第１側面排水路３４０と当接することができ、第２側面先端は、第２面排水路４４０と当接することができる。
【０３６３】
これにより、上部フレーム１００が、別の排水路を備えていなくても、上部フレーム１００に緩衝部材１００Ｐを備え、排水路を備えたものと同じ機能を有するようにしつつ、上部フレーム１００についての製造コストを削減することができる。
【０３６４】
加えて、図４７に示すように、変更例による下部フレーム２００は、下部ガスケット溝２６０及び下部ガスケット２７０が省略され、第１ないし第５下部フレーム部分２１０、２２０、２３０、２４０、２５０、第１下部支持部２８１、少なくとも一つの内部突出部２９０及び断熱性部材７００を備えることができる。
【０３６５】
このように、変更例による下部フレーム２００は、下部ガスケット溝２６０及び下部ガスケット２７０が省略され、下部フレーム２００についての製造コストをより削減することができる。
【０３６６】
以上で、本発明の望ましい実施例について詳細に説明したが、本発明の権利範囲はこれに限定されるものではなく、次の請求範囲で定義している本発明の基本的な概念を用いた当業者の様々な変形及び改良形態も、本発明の権利範囲に属するものである。
【図１】
2021510188.tif 000003
【図２（ａ）】
2021510188.tif 000004
【図２（ｂ）】
2021510188.tif 000005
【図３】
2021510188.tif 000006
【図４】
2021510188.tif 000007
【図５】
2021510188.tif 000008
【図６】
2021510188.tif 000009
【図７】
2021510188.tif 000010
【図８】
2021510188.tif 000011
【図９】
2021510188.tif 000012
【図１０】
2021510188.tif 000013
【図１１】
2021510188.tif 000014
【図１２】
2021510188.tif 000015
【図１３】
2021510188.tif 000016
【図１４】
2021510188.tif 000017
【図１５】
2021510188.tif 000018
【図１６】
2021510188.tif 000019
【図１７】
2021510188.tif 000020
【図１８】
2021510188.tif 000021
【図１９】
2021510188.tif 000022
【図２０】
2021510188.tif 000023
【図２１】
2021510188.tif 000024
【図２２】
2021510188.tif 000025
【図２３】
2021510188.tif 000026
【図２４】
2021510188.tif 000027
【図２５】
2021510188.tif 000028
【図２６（ａ）】
2021510188.tif 000029
【図２６（ｂ）】
2021510188.tif 000030
【図２７（ａ）】
2021510188.tif 000031
【図２７（ｂ）】
2021510188.tif 000032
【図２８】
2021510188.tif 000033
【図２９】
2021510188.tif 000034
【図３０（ａ）】
2021510188.tif 000035
【図３０（ｂ）】
2021510188.tif 000036
【図３１（ａ）】
2021510188.tif 000037
【図３１（ｂ）】
2021510188.tif 000038
【図３２】
2021510188.tif 000039
【図３３】
2021510188.tif 000040
【図３４】
2021510188.tif 000041
【図３５】
2021510188.tif 000042
【図３６】
2021510188.tif 000043
【図３７】
2021510188.tif 000044
【図３８】
2021510188.tif 000045
【図３９】
2021510188.tif 000046
【図４０】
2021510188.tif 000047
【図４１】
2021510188.tif 000048
【図４２】
2021510188.tif 000049
【図４３】
2021510188.tif 000050
【図４４（ａ）】
2021510188.tif 000051
【図４４（ｂ）】
2021510188.tif 000052
【図４５】
2021510188.tif 000053
【図４６】
2021510188.tif 000054
【図４７】
2021510188.tif 000055
【国際調査報告】
2021510188.tif 000056
2021510188.tif 000057
2021510188.tif 000058
2021510188.tif 000059